(57)【特許請求の範囲】
【請求項１】
ベースバンドの画像データを、差動信号により、伝送路を介して外部機器に一方向に送信する信号送信部と、
上記伝送路の所定のラインにより構成される双方向通信路を用いて上記外部機器と通信を行う通信部とを備え、
上記信号送信部および上記通信部の一方により第１の画像データを上記外部機器に送信し、上記信号送信部および上記通信部の他方により上記第１の画像データに対応した付加価値を与える第２の画像データを上記外部機器に送信するか、あるいは、
上記信号送信部または上記通信部により上記外部機器に存在する第１の画像データに対応した付加価値を与える第２の画像データを上記外部機器に送信する
送信装置。
【請求項２】
上記所定のラインはＨＤＭＩケーブルのリザーブラインおよびＨＰＤラインである
請求項１に記載の送信装置。
【請求項３】
上記第２の画像データは、粒状ノイズデータである
請求項１に記載の送信装置。
【請求項４】
上記第２の画像データは、高解像度差分データである
請求項１に記載の送信装置。
【請求項５】
上記第２の画像データは、輝度差分データである
請求項１に記載の送信装置。
【請求項６】
上記第２の画像データは、上記第１の画像データのフレーム間に補間される補間画像データである
請求項１に記載の送信装置。
【請求項７】
上記第２の画像データは、上記第１の画像データが左眼用画像データであるとき、右眼用画像データであり、上記第１の画像データが右眼用画像データであるとき、左眼用画像データである
請求項１に記載の送信装置。
【請求項８】
上記第２の画像データは、インタフェース画面用の画像データである
請求項１に記載の送信装置。
【請求項９】
上記信号送信部および上記通信部の、一方により上記第１の画像データを上記外部機器に送信し、他方により上記第２の画像データを上記外部機器に送信し、
上記外部機器から、上記通信部を用いて、上記信号送信部で送信された画像データによる画像表示タイミングと上記通信部で送信された画像データによる画像表示タイミングとのずれを示す同期情報を取得する同期情報取得部と、
上記同期情報取得部で取得された同期情報に基づいて、上記第１の画像データおよび上記第２の画像データの送信タイミングを調整する送信タイミング調整部とをさらに備える
請求項１に記載の送信装置。
【請求項１０】
ベースバンドの画像データを、差動信号により、伝送路を介して外部機器に一方向に送信する信号送信部と、
上記伝送路の所定のラインにより構成される双方向通信路を用いて上記外部機器と通信を行う通信部とを備える送信装置における画像データ送信方法であって、
上記信号送信部および上記通信部の一方により第１の画像データを上記外部機器に送信し、上記信号送信部および上記通信部の他方により上記第１の画像データに対応した付加価値を与える第２の画像データを上記外部機器に送信するか、あるいは、
上記信号送信部または上記通信部により上記外部機器に存在する第１の画像データに対応した付加価値を与える第２の画像データを上記外部機器に送信する
画像データ送信方法。
【請求項１１】
上記所定のラインはＨＤＭＩケーブルのリザーブラインおよびＨＰＤラインである
請求項１０に記載の画像データ送信方法。
【請求項１２】
外部機器から、差動信号により、伝送路を介してベースバンドの画像データを受信する信号受信部と、
上記伝送路の所定のラインにより構成される双方向通信路を用いて上記外部機器と通信を行う通信部と、
上記信号受信部および上記通信部の一方により受信された第１の画像データと、上記信号受信部および上記通信部の他方により受信された上記第１の画像データに対応した付加価値を与える第２の画像データとを用いた画像表示を行うか、あるいは、
自装置に存在する第１の画像データと、上記信号受信部または上記通信部により受信された上記第１の画像データに対応した付加価値を与える第２の画像データとを用いた画像表示を行う画像表示部とを備える
受信装置。
【請求項１３】
上記所定のラインはＨＤＭＩケーブルのリザーブラインおよびＨＰＤラインである
請求項１２に記載の受信装置。
【請求項１４】
上記第２の画像データは、粒状ノイズデータであり、
上記画像表示部は、上記第１の画像データに上記粒状ノイズデータを加算した合成画像データを生成し、該合成画像データによる画像を表示する
請求項１２に記載の受信装置。
【請求項１５】
上記第２の画像データは、高解像度差分データであり、
上記画像表示部は、上記第１の画像データに上記高解像度差分データを加算した合成画像データを生成し、該合成画像データによる画像を表示する
請求項１２に記載の受信装置。
【請求項１６】
上記第２の画像データは、輝度差分データであり、
上記画像表示部は、上記第１の画像データおよび上記輝度差分データに基づいて、高輝度化画像を表示する
請求項１２に記載の受信装置。
【請求項１７】
上記第２の画像データは、第１の画像データのフレーム間に補間される補間画像データであり、
上記画像表示部は、上記第１の画像データのフレーム間に上記第２の画像データを挿入して合成画像データを生成し、該合成画像データによる画像を表示する
請求項１２に記載の受信装置。
【請求項１８】
上記第２の画像データは、上記第１の画像データが左眼用画像データであるとき、右眼用画像データであり、上記第１の画像データが右眼用画像データであるとき、左眼用画像データであり、
上記画像表示部は、上記第１の画像データにより左眼画像または右眼画像を表示し、上記第２の画像データにより右眼画像または左眼画像を表示する
請求項１２に記載の受信装置。
【請求項１９】
上記第２の画像データは、インタフェース画面用の画像データであり、
上記画像表示部は、上記第１の画像データによる画像を表示すると共に、上記第２の画像データによるインタフェース画面を表示する
請求項１２に記載の受信装置。
【請求項２０】
上記インタフェース画面は、上記第１の画像データによる画像上に表示される
請求項１９に記載の受信装置。
【請求項２１】
上記インタフェース画面は、上記第１の画像データによる画面とは離れた個所に表示される
請求項１９に記載の受信装置。
【請求項２２】
外部機器から、差動信号により、伝送路を介してベースバンドの画像データを受信する信号受信部と、
上記伝送路の所定のラインにより構成される双方向通信路を用いて上記外部機器と通信を行う通信部とを備える受信装置における画像表示方法であって、
上記信号受信部および上記通信部の一方により受信された第１の画像データと、上記信号受信部および上記通信部の他方により受信された上記第１の画像データに対応した付加価値を与える第２の画像データとを用いた画像表示を行うか、あるいは、
上記受信装置に存在する第１の画像データと、上記信号受信部または上記通信部により受信された上記第１の画像データに対応した付加価値を与える第２の画像データとを用いた画像表示を行う
受信装置における画像表示方法。
【請求項２３】
上記所定のラインはＨＤＭＩケーブルのリザーブラインおよびＨＰＤラインである
請求項２２に受信装置における画像表示方法。
【発明の詳細な説明】
【技術分野】
【０００１】
この発明は、送信装置、画像データ送信方法、受信装置および受信装置における画像表示方法に関する。
【０００２】
詳しくは、この発明は、ベースバンドの映像信号を、複数チャネルで、差動信号により、伝送路を介して外部機器に一方向に送信する信号送信部の他に、伝送路を構成する所定のラインを用いて双方向通信を行う通信部を設け、少なくとも、信号送信部または通信部により、第１の画像データに対応した付加価値を与える第２の画像データを外部機器に送信することによって、外部機器において付加価値表示を良好に行い得るようにした送信装置等に係るものである。
【０００３】
また、この発明は、外部機器から、複数チャネルで、差動信号により、伝送路を介してベースバンドの映像信号を受信する信号受信部の他に、伝送路を構成する所定のラインを用いて双方向通信を行う通信部を設け、少なくとも信号送信部または通信部により受信された第１の画像データに対応した付加価値を与える第２の画像データと、第１の画像データとを用いた画像表示を行うことにより、付加価値表示を良好に行い得るようにした受信装置等に係るものである。
【背景技術】
【０００４】
近年、例えば、ＤＶＤ(Digital Versatile Disc)レコーダや、セットトップボックス、その他のＡＶソース（Audio Visual source）から、テレビ受信機、プロジェクタ、その他のディスプレイに対して、デジタル映像信号、すなわち、非圧縮（ベースバンド）の映像信号（以下、「画像データ」という）と、その映像信号に付随するデジタル音声信号（以下、「音声データ」という）とを、高速に伝送する通信インタフェースとして、ＨＤＭＩ(High Definition Multimedia Interface)が普及しつつある。例えば、特許文献１には、ＨＤＭＩ規格の詳細についての記載がある。
【特許文献１】ＷＯ２００２／０７８３３６号公報
【発明の開示】
【発明が解決しようとする課題】
【０００５】
ＨＤＭＩには枠組みおよびバンド幅の制限がある。そのため、例えば、テレビ受信機で付加価値表示をするには、当該テレビ受信機内でデータを生成して合成するか、ビデオレコーダや再生機(ディスクプレーヤ、ゲーム機等)側において最終画像データにする必要があった。
【０００６】
テレビ受信機内でデータを生成して合成する場合には、当該テレビ受信機が、ＣＰＵ／メモリ等の画像処理リソースの制約が多く、あるいは、画像データソース情報を持たない場合が多いことから、付加価値を加えるには制限が大きく、多様な付加価値サービスに対応できない。
【０００７】
また、ビデオレコーダや再生機側で最終画像データにする場合には、伝送路のバンド幅等により制限されることから、規格を越える付加価値を出せず、また、インタラクティブな付加価値データはテレビ受信機内の画像処理を一様に受けるため、レイテンシが問題となる。
【０００８】
この発明の目的は、付加価値表示を良好に行い得るようにすることにある。
【課題を解決するための手段】
【０００９】
この発明の概念は、
ベースバンドの画像データを、差動信号により、伝送路を介して外部機器に一方向に送信する信号送信部と、
上記伝送路の所定のラインにより構成される双方向通信路を用いて上記外部機器と通信を行う通信部とを備え、
上記信号送信部および上記通信部の一方により第１の画像データを上記外部機器に送信し、上記信号送信部および上記通信部の他方により上記第１の画像データに対応した付加価値を与える第２の画像データを上記外部機器に送信するか、あるいは、
上記信号送信部または上記通信部により上記外部機器に存在する第１の画像データに対応した付加価値を与える第２の画像データを上記外部機器に送信する
送信装置にある。
【００１０】
また、この発明の概念は、
外部機器から、差動信号により、伝送路を介してベースバンドの画像データを受信する信号受信部と、
上記伝送路の所定のラインにより構成される双方向通信路を用いて上記外部機器と通信を行う通信部と、
上記信号受信部および上記通信部の一方により受信された第１の画像データと、上記信号受信部および上記通信部の他方により受信された上記第１の画像データに対応した付加価値を与える第２の画像データとを用いた画像表示を行うか、あるいは、
自装置に存在する第１の画像データと、上記信号受信部または上記通信部により受信された上記第１の画像データに対応した付加価値を与える第２の画像データとを用いた画像表示を行う画像表示部とを備える
受信装置にある。
【００１１】
送信装置には、ベースバンドの画像データ（映像信号）を、差動信号により、伝送路を介して外部機器（受信装置）に一方向に送信する信号送信部の他に、伝送路の所定のラインにより構成される双方向通信路を用いて外部機器と通信を行う通信部が設けられる。例えば、所定のラインはＨＤＭＩケーブルのリザーブラインおよびＨＰＤラインである。そして、信号送信部および通信部の一方により第１の画像データが外部機器に送信され、信号送信部および通信部の他方により第１の画像データに対応した付加価値を与える第２の画像データが外部機器に送信されるか、あるいは、信号送信部または通信部により外部機器に存在する第１の画像データに対応した付加価値を与える第２の画像データが外部機器に送信される。外部機器側に第１の画像データが存在する場合として、例えば、この第１の画像データを通信部で外部機器から受信し、当該第１の画像データに基づいて第２の画像データを生成する場合がある。
【００１２】
第２の画像データは、例えば、粒状ノイズ（フィルムノイズ）データ、高解像度差分データ、輝度差分データ等である。また、第２の画像データは、例えば、第１の画像データのフレーム間に補間される補間画像データ、左眼用または右眼用のいずれかの画像データである。また、第２の画像データは、インタフェース画面用の画像データである。
【００１３】
受信装置には、外部機器（送信装置）から、差動信号により、伝送路を介してベースバンドの画像データ（映像信号）を受信する信号受信部の他に、伝送路の所定のラインにより構成される双方向通信路を用いて外部機器と通信を行う通信部が設けられる。そして、信号受信部および通信部の一方により受信された第１の画像データと、信号受信部および通信部の他方により受信された第１の画像データに対応した付加価値を与える第２の画像データとを用いた画像表示が行われるか、あるいは、自装置に存在する第１の画像データと、信号受信部または通信部により受信された第１の画像データに対応した付加価値を与える第２の画像データとを用いた画像表示が行われる。
【００１４】
この発明においては、付加価値を与える第２の画像データを、送信装置から受信装置に、第１の画像データとは別個に送信して使用する構成としたものである。そのため、第２の画像データを得るために、送信装置の画像処理リソースを、有効に活用できる。また、伝送路のバンド幅等に制限されずに、規格を越えた付加価値を出すことも可能となる。つまり、この発明においては、良好な付加価値表示が可能となる。
【発明の効果】
【００１５】
この発明によればベースバンドの映像信号を、複数チャネルで、差動信号により、伝送路を介して外部機器に一方向に送信する信号送信部の他に、伝送路を構成する所定のラインを用いて双方向通信を行う通信部を設け、少なくとも、信号送信部または通信部により、第１の画像データに対応した付加価値を与える第２の画像データを外部機器に送信するものであり、外部機器において良好な付加価値表示が可能となる。
【００１６】
また、この発明によれば、外部機器から、複数チャネルで、差動信号により、伝送路を介してベースバンドの映像信号を受信する信号受信部の他に、伝送路を構成する所定のラインを用いて双方向通信を行う通信部を設け、少なくとも信号送信部または通信部により受信された第１の画像データに対応した付加価値を与える第２の画像データと、第１の画像データとを用いた画像表示を行うものであり、良好な付加価値表示が可能となる。
【発明を実施するための最良の形態】
【００１７】
以下、図面を参照しながら、この発明の実施の形態について説明する。図１は、実施の形態としてのＡＶ(Audio Visual)システム２００の構成例を示している。
【００１８】
このＡＶシステム２００は、ソース機器としてのゲーム機２１０と、シンク機器としてのテレビ受信機２５０とを有している。
【００１９】
ゲーム機２１０およびテレビ受信機２５０は、ＨＤＭＩケーブル３５１を介して接続されている。ゲーム機２１０には、ＨＤＭＩ送信部（ＨＤＭＩＴＸ）２１２および高速データラインインタフェース（Ｉ／Ｆ）２１３が接続されたＨＤＭＩ端子２１１が設けられている。テレビ受信機２５０には、ＨＤＭＩ受信部（ＨＤＭＩＲＸ）２５２および高速データラインインタフェース（Ｉ／Ｆ）２５３が接続されたＨＤＭＩ端子２５１が設けられている。ＨＤＭＩケーブル３５１の一端はゲーム機２１０のＨＤＭＩ端子２１１に接続され、このＨＤＭＩケーブル３５１の他端はテレビ受信機２５０のＨＤＭＩ端子２５１に接続されている。
【００２０】
図１に示すＡＶシステム２００において、ゲーム機２１０からテレビ受信機２５０に、ゲーム、映画等の本編画像データ（第１の画像データ）が、高速データラインを用いて、イーサのＩＰパケットで送信される。また、ゲーム機２１０からテレビ受信機２５０に、上述の本編画像データに対応した付加価値を与える付加価値画像データ（第２の画像データ）が、ＨＤＭＩのＴＭＤＳチャネルを用いて、送信される。そして、テレビ受信機２５０では、ゲーム機２１０から送られてくる本編画像データと付加価値画像データとを用いた画像表示が行われる。付加価値画像データの具体例については、後述する。
【００２１】
図２は、ゲーム機２１０の構成例を示している。このゲーム機２１０は、ＨＤＭＩ端子２１１と、ＨＤＭＩ送信部２１２と、高速データラインインタフェース２１３と、内部バス２１７と、記録部インタフェース２１８と、ＤＶＤ／ＢＤ（Digital Versatile Disk/Blu-ray Disc）ドライブ２１９と、ＨＤＤ(Hard Disk Drive)２２０と、ＣＰＵ(Central ProcessingUnit)２２１と、フラッシュＲＯＭ(Read Only Memory)２２２と、ＤＲＡＭ(Dynamic Random Access Memory)２２３と、イーサネットインタフェース（Ethernet I/F）２２４と、ネットワーク端子２２５と、ＭＰＥＧデコーダ２２７と、グラフィック生成回路２２８と、映像出力端子２２９と、音声出力端子２３０とを有している。なお、「イーサネット」、「Ｅｔｈｅｒｎｅｔ」および「Ｂｌｕ−ｒａｙ  Ｄｉｓｃ」は登録商標である。
【００２２】
ＨＤＭＩ送信部（ＨＤＭＩソース）２１２は、ＨＤＭＩに準拠した通信により、ベースバンドの映像（画像）と音声のデータを、ＨＤＭＩ端子２１１から送出する。このＨＤＭＩ送信部２１２の詳細は後述する。高速データラインインタフェース２１３は、ＨＤＭＩケーブルを構成する所定のライン（この実施の形態においては、リザーブライン、ＨＰＤライン）を用いた双方向通信のインタフェースである。この高速データラインインタフェース２１３は、ネットワーク端子２２５に接続されたイーサネットインタフェース２２４と、ＨＤＭＩケーブルが接続されるＨＤＭＩ端子２１１との間に配置されている。この高速データラインインタフェース２１３の詳細は後述する。
【００２３】
ＣＰＵ２２１、フラッシュＲＯＭ２２２、ＤＲＡＭ２２３、イーサネットインタフェース２２４、ＭＰＥＧデコーダ２２７および記録部インタフェース２１８は、内部バス２１７に接続されている。ＤＶＤ／ＢＤドライブ２１９およびＨＤＤ２２０は、記録部インタフェース２１８を介して内部バス２１７に接続されている。
【００２４】
ＭＰＥＧデコーダ２２７は、ＤＶＤ／ＢＤドライブ２１９またはＨＤＤ２２０で再生されたパーシャルＴＳを構成する映像ＰＥＳパケットに対してデコード処理を行って映像データを得る。また、ＭＰＥＧデコーダ２２７は、当該パーシャルＴＳを構成する音声ＰＥＳパケットに対してデコード処理を行って音声データを得る。
【００２５】
グラフィック生成回路２２８は、ＭＰＥＧデコーダ２２７で得られた映像データに対して、必要に応じてグラフィックスデータの重畳処理等を行う。映像出力端子２２９は、グラフィック生成回路２２８から出力される映像データを出力する。音声出力端子２３０は、ＭＰＥＧデコーダ２２７で得られた音声データを出力する。
【００２６】
ＣＰＵ２２１は、ゲーム機２１０の各部の動作を制御する。フラッシュＲＯＭ２２２は、制御ソフトウェアの格納およびデータの保管を行う。ＤＲＡＭ２２３は、ＣＰＵ２２１のワークエリアを構成する。ＣＰＵ２２１は、フラッシュＲＯＭ２２２から読み出したソフトウェアやデータをＤＲＡＭ２２３上に展開してソフトウェアを起動させ、ゲーム機２１０の各部を制御する。
【００２７】
図２に示すゲーム機２１０の動作を簡単に説明する。
【００２８】
インターネット等からの映画コンテンツのダウンロード時の動作について説明する。この場合、ネットワーク端子２２５を介してイーサネットインタフェース２２４で受信されたパーシャルＴＳは、内部バス２１７を介して記録部２１８に供給され、ＤＶＤ／ＢＤドライブ２１９、あるいはＨＤＤ２２０で記録される。
【００２９】
次に、ＤＶＤ／ＢＤドライブ２１９、あるいはＨＤＤ２２０に記録されている映画コンテンツ、あるいはゲームコンテンツの再生時の動作を説明する。ＤＶＤ／ＢＤドライブ２１９、あるいはＨＤＤ２２０で再生されるゲームまたは映画の本編に係るパーシャルＴＳ（本編の画像データ）は、イーサネットインタフェース２２４を介して高速データラインインタフェース２１３に供給され、ＩＰパケットとして、ＨＤＭＩ端子２１１に接続されるＨＤＭＩケーブルに送出される。
【００３０】
また、この再生時、上述した本編に係るパーシャルＴＳに対応した、ベースバンドの付加価値画像データは、ＨＤＭＩ送信部２１２に供給される。この付加価値画像データは、ＨＤＭＩのＴＭＤＳチャネルにより、ＨＤＭＩ端子２１１からＨＤＭＩケーブルに送出される。例えば、付加価値画像データは、本編画像データに対応して予め取得、あるいは生成されている。また、例えば、付加価値画像データは、本編画像データの送信に合わせて発生される。
【００３１】
なお、この再生時、ＤＶＤ／ＢＤドライブ２１９、あるいはＨＤＤ２２０で再生されるゲームまたは映画の本編に係るパーシャルＴＳは、ＭＰＥＧデコーダ２２７に供給される。このＭＰＥＧデコーダ２２７では、映像ＰＥＳパケットに対してデコード処理が行われて映像データが得られる。この映像データは、グラフィック生成回路２２８でグラフィックスデータの重畳処理等が行われた後に、映像出力端子２２９に出力される。また、ＭＰＥＧデコーダ２２７では、音声ＰＥＳパケットに対してデコード処理が行われて音声データが得られる。この音声データは、音声出力端子２３０に出力される。
【００３２】
図３は、テレビ受信機２５０の構成例を示している。このテレビ受信機２５０は、ＨＤＭＩ端子２５１と、ＨＤＭＩ受信部２５２と、高速データラインインタフェース２５３と、アンテナ端子２５７と、デジタルチューナ２５８と、デマルチプレクサ２５９と、ＭＰＥＧ(Moving Picture Expert Group)デコーダ２６０と、映像・グラフィック処理回路２６１と、パネル駆動回路２６２と、表示パネル２６３と、音声信号処理回路２６４と、音声増幅回路２６５と、スピーカ２６６と、合成部２６８と、内部バス２７０と、ＣＰＵ２７１と、フラッシュＲＯＭ２７２と、ＤＲＡＭ２７３と、イーサネットインタフェース（Ethernet I/F）２７４と、ネットワーク端子２７５と、リモコン受信部２７６と、リモコン送信機２７７とを有している。
【００３３】
アンテナ端子２５７は、受信アンテナ（図示しない）で受信されたテレビ放送信号を入力する端子である。デジタルチューナ２５８は、アンテナ端子２５７に入力されるテレビ放送信号を処理して、ユーザの選択チャネルに対応した所定のトランスポートストリームを出力する。デマルチプレクサ２５９は、デジタルチューナ２５８で得られたトランスポートストリームから、ユーザの選択チャネルに対応した、パーシャルＴＳ（Transport Stream）（映像データのＴＳパケット、音声データのＴＳパケット）を抽出する。
【００３４】
また、デマルチプレクサ２５９は、デジタルチューナ２５８で得られたトランスポートストリームから、ＰＳＩ／ＳＩ(Program Specific Information/Service Information)を取り出し、ＣＰＵ２７１に出力する。デジタルチューナ２５８で得られたトランスポートストリームには、複数のチャネルが多重化されている。デマルチプレクサ２５９で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００３５】
ＭＰＥＧデコーダ２６０は、デマルチプレクサ２５９で得られる映像データのＴＳパケットにより構成される映像ＰＥＳ(Packetized Elementary Stream)パケットに対してデコード処理を行って映像データを得る。また、ＭＰＥＧデコーダ２６０は、デマルチプレクサ２５９で得られる音声データのＴＳパケットにより構成される音声ＰＥＳパケットに対してデコード処理を行って音声データを得る。
【００３６】
また、ＭＰＥＧデコーダ２６０は、イーサネットインタフェース２７４で受信されたパーシャルＴＳ（ＭＰＥＧストリームデータ）の映像および音声のＰＥＳパケットに対してデコード処理を行って映像データおよび音声データを得る。
【００３７】
映像・グラフィック処理回路２６１は、ＭＰＥＧデコーダ２６０で得られた映像データに対して、必要に応じてマルチ画面処理、グラフィックスデータの重畳処理等を行う。パネル駆動回路２６２は、映像・グラフィック処理回路２６１から出力される映像データに基づいて、表示パネル２６３を駆動する。表示パネル２６３は、例えば、ＬＣＤ(Liquid Crystal Display)、ＰＤＰ(Plasma DisplayPanel)等で構成されている。音声信号処理回路２６４はＭＰＥＧデコーダ２６０で得られた音声データに対してＤ／Ａ変換等の必要な処理を行う。音声増幅回路２６５は、音声信号処理回路２６４から出力される音声信号を増幅してスピーカ２６６に供給する。
【００３８】
ＣＰＵ２７１は、テレビ受信機２５０の各部の動作を制御する。フラッシュＲＯＭ２７２は、制御ソフトウェアの格納およびデータの保管を行う。ＤＲＡＭ２７３は、ＣＰＵ２７１のワークエリアを構成する。ＣＰＵ２７１は、フラッシュＲＯＭ２７２から読み出したソフトウェアやデータをＤＲＡＭ２７３上に展開してソフトウェアを起動させ、テレビ受信機２５０の各部を制御する。リモコン受信部２７６は、リモコン送信機２７７から送信されたリモーコントロール信号（リモコンコード）を受信し、ＣＰＵ２７１に供給する。ＣＰＵ２７１、フラッシュＲＯＭ２７２、ＤＲＡＭ２７３およびイーサネットインタフェース２７４は、内部バス２７０に接続されている。
【００３９】
ＨＤＭＩ受信部（ＨＤＭＩシンク）２５２は、ＨＤＭＩに準拠した通信により、ＨＤＭＩ端子２５１に供給されるベースバンドの映像（画像）と音声のデータを受信する。このＨＤＭＩ受信部２５２の詳細は後述する。高速データラインインタフェース２５３は、ＨＤＭＩケーブルを構成する所定のライン（この実施の形態においては、リザーブライン、ＨＰＤライン）を用いた双方向通信のインタフェースである。この高速データラインインタフェース２５３は、ネットワーク端子２７５が接続されたイーサネットインタフェース２７４とＨＤＭＩ端子２５２との間に配置されている。この高速データラインインタフェース２５３の詳細は後述する。
【００４０】
合成部２６８は、映像・グラフィック処理回路２６１とパネル駆動回路２６２との間に配置されている。この合成部２６８は、上述したゲーム機２１０からの入力に切り替えられている場合、映像・グラフィック処理回路２６１から出力される本編画像データに、ＨＤＭＩ受信部２５２で受信された付加価値画像データを合成する。ここで、合成とは、加算、挿入等を意味する。なお、付加価値画像データの種類によっては、当該付加価値画像データは本編の画像データとは合成されずに使用されることもある。
【００４１】
図３に示すテレビ受信機２５０の動作を簡単に説明する。
【００４２】
テレビ視聴時の動作について説明する。アンテナ端子２５７に入力されるテレビ放送信号はデジタルチューナ２５８に供給される。このデジタルチューナ２５８では、テレビ放送信号を処理して、ユーザの選択チャネルに対応した所定のトランスポートストリームが出力され、当該所定のトランスポートストリームはデマルチプレクサ２５９に供給される。このデマルチプレクサ２５９では、トランスポートストリームから、ユーザの選択チャネルに対応した、パーシャルＴＳ（映像データのＴＳパケット、音声データのＴＳパケット）が抽出され、当該パーシャルＴＳはＭＰＥＧデコーダ２６０に供給される。
【００４３】
ＭＰＥＧデコーダ２６０では、映像データのＴＳパケットにより構成される映像ＰＥＳパケットに対してデコード処理が行われて映像データが得られる。この映像データは、映像・グラフィック処理回路２６１において、必要に応じてマルチ画面処理、グラフィックスデータの重畳処理等が行われた後に、パネル駆動回路２６２に供給される。そのため、表示パネル２６３には、ユーザの選択チャネルに対応した画像が表示される。
【００４４】
また、ＭＰＥＧデコーダ２６０では、音声データのＴＳパケットにより構成される音声ＰＥＳパケットに対してデコード処理が行われて音声データが得られる。この音声データは、音声信号処理回路２６４でＤ／Ａ変換等の必要な処理が行われ、さらに、音声増幅回路２６５で増幅された後に、スピーカ２６６に供給される。そのため、スピーカ２６６から、ユーザの選択チャネルに対応した音声が出力される。
【００４５】
次に、ゲーム機２１０からの入力に切り替えられている場合の動作について説明する。ＨＤＭＩ端子２５１を介して高速データラインインタフェース２５３で受信されたパーシャルＴＳはイーサネットインタフェース２７４を介してＭＰＥＧデコーダ２６０に供給される。このＭＰＥＧデコーダ２６０では、上述したテレビ視聴時の場合と同様に、パーシャルＴＳに対してデコーダ処理が行われ、本編画像データおよびそれに対応した音声データが得られる。
【００４６】
ＭＰＥＧデコーダ２６０で得られた音声データは、音声信号処理回路２６４でＤ／Ａ変換等の必要な処理が行われ、さらに、音声増幅回路２６５で増幅された後に、スピーカ２６６に供給される。これにより、スピーカ２６６からはゲームまたは映画の音声出力が得られる。
【００４７】
また、ＭＰＥＧデコーダ２６０で得られた画像データは、映像グラフィック処理回路２６１で処理された後に合成部２６８に供給される。また、ＨＤＭＩ受信部２５２で受信された付加価値画像データは、合成部２６８に直接供給される。
【００４８】
この合成部２６８では、映像・グラフィック処理回路２６１から出力される本編画像データに、ＨＤＭＩ受信部２５２で受信された付加価値画像データが合成される。このように合成部２６８で得られた合成画像データは、パネル駆動回路２６２に供給される。これにより、表示パネル２６３には、合成画像データによる画像表示が行われる。
【００４９】
図４は、図１のＡＶシステム２００における、ゲーム機２１０のＨＤＭＩ送信部（ＨＤＭＩソース）２１２と、テレビ受信機２５０のＨＤＭＩ受信部（ＨＤＭＩシンク）２５２の構成例を示している。
【００５０】
ＨＤＭＩソース２１２は、ある垂直同期信号から次の垂直同期信号までの区間から、水平帰線区間及び垂直帰線区間を除いた区間である有効画像区間（以下、適宜、アクティブビデオ区間ともいう）において、非圧縮の１画面分の画像の画素データに対応する差動信号を、複数のチャネルで、ＨＤＭＩシンク２５２に一方向に送信するとともに、水平帰線区間または垂直帰線区間において、少なくとも画像に付随する音声データや制御データ、その他の補助データ等に対応する差動信号を、複数のチャネルで、ＨＤＭＩシンク２５２に一方向に送信する。
【００５１】
すなわち、ＨＤＭＩソース２１２は、トランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブル３５１を介して接続されているＨＤＭＩシンク２５２に、一方向にシリアル伝送する。
【００５２】
また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩケーブル３５１を介して接続されているＨＤＭＩシンク２５２に、一方向にシリアル伝送する。
【００５３】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブル３５１を介して接続されているＨＤＭＩシンク２５２に送信する。ここで、１つのＴＭＤＳチャネル＃ｉ（ｉ=０，１，２）では、ピクセルクロックの１クロックの間に、１０ビットの画素データが送信される。
【００５４】
ＨＤＭＩシンク２５２は、アクティブビデオ区間において、複数のチャネルで、ＨＤＭＩソース２１２から一方向に送信されてくる、画素データに対応する差動信号を受信するとともに、水平帰線区間または垂直帰線区間において、複数のチャネルで、ＨＤＭＩソース２１２から一方向に送信されてくる、音声データや制御データに対応する差動信号を受信する。
【００５５】
すなわち、ＨＤＭＩシンク２５２は、レシーバ８２を有する。レシーバ８２は、ＴＭＤＳチャネル＃０，＃１，＃２で、ＨＤＭＩケーブル３５１を介して接続されているＨＤＭＩソース２１２から一方向に送信されてくる、画素データに対応する差動信号と、音声データや制御データに対応する差動信号を、同じくＨＤＭＩソース２１２からＴＭＤＳクロックチャネルで送信されてくるピクセルクロックに同期して受信する。
【００５６】
ＨＤＭＩソース２１２とＨＤＭＩシンク２５２とからなるＨＤＭＩシステムの伝送チャネルには、ＨＤＭＩソース２１２からＨＤＭＩシンク２５２に対して、画素データおよび音声データを、ピクセルクロックに同期して、一方向にシリアル伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）８３やＣＥＣライン８４と呼ばれる伝送チャネルがある。
【００５７】
ＤＤＣ８３は、ＨＤＭＩケーブル３５１に含まれる図示せぬ２本の信号線からなり、ＨＤＭＩソース２１２が、ＨＤＭＩケーブル３５１を介して接続されたＨＤＭＩシンク２５２から、Ｅ−ＥＤＩＤ（Enhanced Extended Display Identification Data）を読み出すために使用される。
【００５８】
すなわち、ＨＤＭＩシンク２５２は、ＨＤＭＩレシーバ８１の他に、自身の性能（Configuration/capability）に関する性能情報であるＥ−ＥＤＩＤを記憶している、ＥＤＩＤ  ＲＯＭ(Read Only Memory)８５を有している。ＨＤＭＩソース２１２は、ＨＤＭＩケーブル３５１を介して接続されているＨＤＭＩシンク２５２から、当該ＨＤＭＩシンク２５２のＥ−ＥＤＩＤを、ＤＤＣ８３を介して読み出し、そのＥ−ＥＤＩＤに基づき、ＨＤＭＩシンク２５２の性能の設定、すなわち、例えば、ＨＤＭＩシンク２５２を有する電子機器が対応している画像のフォーマット（プロファイル）、例えば、ＲＧＢ、ＹＣbＣr４：４：４、ＹＣbＣr４：２：２等を認識する。
【００５９】
ＣＥＣライン８４は、ＨＤＭＩケーブル３５１に含まれる図示せぬ１本の信号線からなり、ＨＤＭＩソース２１２とＨＤＭＩシンク２５２との間で、制御用のデータの双方向通信を行うのに用いられる。
【００６０】
また、ＨＤＭＩケーブル３５１には、ＨＰＤ(Hot Plug Detect)と呼ばれるピンに接続されるライン８６が含まれている。ソース機器は、当該ライン８６を利用して、シンク機器の接続を検出することができる。また、ＨＤＭＩケーブル３５１には、ソース機器からシンク機器に電源を供給するために用いられるライン８７が含まれている。さらに、ＨＤＭＩケーブル３５１には、リザーブライン８８が含まれている。
【００６１】
図５は、図４のＨＤＭＩトランスミッタ８１とＨＤＭＩレシーバ８２の構成例を示している。
【００６２】
トランスミッタ８１は、３つのＴＭＤＳチャネル＃０，＃１，＃２にそれぞれ対応する３つのエンコーダ／シリアライザ８１Ａ，８１Ｂ，８１Ｃを有する。そして、エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。ここで、画像データが、例えばＲ（赤），Ｇ（緑），Ｂ（青）の３成分を有する場合、Ｂ成分（Ｂ component）はエンコーダ／シリアライザ８１Ａに供給され、Ｇ成分（Ｇcomponent）はエンコーダ／シリアライザ８１Ｂに供給され、Ｒ成分（Ｒ component）はエンコーダ／シリアライザ８１Ｃに供給される。
【００６３】
また、補助データとしては、例えば、音声データや制御パケットがあり、制御パケットは、例えば、エンコーダ／シリアライザ８１Ａに供給され、音声データは、エンコーダ／シリアライザ８１Ｂ，８１Ｃに供給される。
【００６４】
さらに、制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【００６５】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【００６６】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【００６７】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【００６８】
また、エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【００６９】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【００７０】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【００７１】
レシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【００７２】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【００７３】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【００７４】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【００７５】
図６は、ＨＤＭＩの３つのＴＭＤＳチャネル＃０，＃１，＃２で各種の伝送データが伝送される伝送区間（期間）の例を示している。なお、図６は、ＴＭＤＳチャネル＃０，＃１，＃２において、横×縦が７２０×４８０画素のプログレッシブの画像が伝送される場合の、各種の伝送データの区間を示している。
【００７６】
ＨＤＭＩの３つのＴＭＤＳチャネル＃０，＃１，＃２で伝送データが伝送されるビデオフィールド（Video Field）には、伝送データの種類に応じて、ビデオデータ区間（VideoData period）、データアイランド区間（Data Island period）、およびコントロール区間（Control period）の３種類の区間が存在する。
【００７７】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（verticalblanking）、並びに、ビデオフィールド区間から、水平ブランキング期間および垂直ブランキング期間を除いた区間であるアクティブビデオ区間（Active Video）に分けられる。
【００７８】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。
【００７９】
データアイランド区間およびコントロール区間は、水平ブランキング期間および垂直ブランキング期間に割り当てられる。このデータアイランド区間およびコントロール区間では、補助データ（Auxiliary data）が伝送される。
【００８０】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００８１】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００８２】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍbps程度である。本実施の形態においては、このデータアイランド区間を利用して、インデックス用映像のデータであるサムネイルのデータを、ビデオカメラレコーダ１０からテレビ受信機３０に伝送する。
【００８３】
図７は、ＨＤＭＩ端子２１１，２５１のピン配列を示している。このピン配列はタイプＡ（type-A）と呼ばれている。
【００８４】
ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【００８５】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ(SerialData)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【００８６】
また、上述したようにソース機器がシンク機器の接続を検出するためのライン８６は、ピン番号が１９であるピンに接続される。また、上述したように電源を供給するためのライン８７は、ピン番号が１８であるピンに接続される。
【００８７】
図８は、図１のＡＶシステム２００における、ゲーム機２１０の高速データラインインタフェース２１３と、テレビ受信機２５０の高速データラインインタフェース２５３の構成例を示している。これらインタフェース２１３，２５３は、ＬＡＮ(Local Area Network)通信を行う通信部を構成する。この通信部は、ＨＤＭＩケーブル３５１を構成する複数のラインのうち、１対の差動ライン、この実施の形態においては、空き（Reserve）ピン（１４ピン）に対応したリザーブライン（Ether−ライン）、およびＨＰＤピン（１９ピン）に対応したＨＰＤライン（Ether＋ライン）を用いて、通信を行う。
【００８８】
ゲーム機２１０は、ＬＡＮ信号送信回路４１１、終端抵抗４１２、ＡＣ結合容量４１３，４１４、ＬＡＮ信号受信回路４１５、減算回路４１６、プルアップ抵抗４２１、ローパスフィルタを構成する抵抗４２２および容量４２３、比較器４２４、プルダウン抵抗４３１、ローパスフィルタを形成する抵抗４３２および容量４３３、並びに比較器４３４を有している。ここで、高速データラインインタフェース２１３は、ＬＡＮ信号送信回路４１１、終端抵抗４１２、ＡＣ結合容量４１３，４１４、ＬＡＮ信号受信回路４１５、減算回路４１６により構成されている。
【００８９】
電源線（＋５．０Ｖ）と接地線との間には、プルアップ抵抗４２１、ＡＣ結合容量４１３、終端抵抗４１２、ＡＣ結合容量４１４およびプルダウン抵抗４３１の直列回路が接続される。ＡＣ結合容量４１３と終端抵抗４１２の互いの接続点Ｐ１は、ＬＡＮ信号送信回路４１１の正出力側に接続されると共に、ＬＡＮ信号受信回路４１５の正入力側に接続される。また、ＡＣ結合容量４１４と終端抵抗４１２の互いの接続点Ｐ２は、ＬＡＮ信号送信回路４１１の負出力側に接続されると共に、ＬＡＮ信号受信回路４１５の負入力側に接続される。ＬＡＮ信号送信回路４１１の入力側には、送信信号（送信データ）ＳＧ411が供給される。
【００９０】
また、減算回路４１６の正側端子には、ＬＡＮ信号受信回路４１５の出力信号ＳＧ412が供給され、この減算回路４１６の負側端子には、送信信号（送信データ）ＳＧ411が供給される。この減算回路４１６では、ＬＡＮ信号受信回路４１５の出力信号ＳＧ412から送信信号ＳＧ411が減算され、受信信号（受信データ）ＳＧ413が得られる
【００９１】
また、プルアップ抵抗４２１およびＡＣ結合容量４１３の互いの接続点Ｑ１は、抵抗４２２および容量４２３の直列回路を介して接地線に接続される。そして、抵抗４２２および容量４２３の互いの接続点に得られるローパスフィルタの出力信号は比較器４２４の一方の入力端子に供給される。この比較器４２４では、ローパスフィルタの出力信号が他方の入力端子に供給される基準電圧Ｖref1（＋３．７５Ｖ）と比較される。この比較器４２４の出力信号ＳＧ414はＣＰＵ２２１に供給される。
【００９２】
また、ＡＣ結合容量４１４およびプルダウン抵抗４３１の互いの接続点Ｑ２は、抵抗４３２および容量４３３の直列回路を介して接地線に接続される。そして、抵抗４３２および容量４３３の互いの接続点に得られるローパスフィルタの出力信号は比較器４３４の一方の入力端子に供給される。この比較器４３４では、ローパスフィルタの出力信号が他方の入力端子に供給される基準電圧Ｖref2（＋１．４Ｖ）と比較される。この比較器４３４の出力信号ＳＧ415は、ＣＰＵ２２１に供給される。
【００９３】
テレビ受信機２５０は、ＬＡＮ信号送信回路４４１、終端抵抗４４２、ＡＣ結合容量４４３，４４４、ＬＡＮ信号受信回路４４５、減算回路４４６、プルダウン抵抗４５１、ローパスフィルタを構成する抵抗４５２および容量４５３、比較器４５４、チョークコイル４６１、抵抗４６２、並びに抵抗４６３を有している。ここで、高速データラインインタフェース２５３は、ＬＡＮ信号送信回路４４１、終端抵抗４４２、ＡＣ結合容量４４３，４４４、ＬＡＮ信号受信回路４４５、減算回路４４６により構成されている。
【００９４】
電源線（＋５．０Ｖ）と接地線との間には、抵抗４６２および抵抗４６３の直列回路が接続される。そして、この抵抗４６２と抵抗４６３の互いの接続点と、接地線との間には、チョークコイル４６１、ＡＣ結合容量４４４、終端抵抗４４２、ＡＣ結合容量４４３およびプルダウン抵抗４５１の直列回路が接続される。
【００９５】
ＡＣ結合容量４４３と終端抵抗４４２の互いの接続点Ｐ３は、ＬＡＮ信号送信回路４４１の正出力側に接続されると共に、ＬＡＮ信号受信回路４４５の正入力側に接続される。また、ＡＣ結合容量４４４と終端抵抗４４２の互いの接続点Ｐ４は、ＬＡＮ信号送信回路４４１の負出力側に接続されると共に、ＬＡＮ信号受信回路４４５の負入力側に接続される。ＬＡＮ信号送信回路４４１の入力側には、送信信号（送信データ）ＳＧ417が供給される。
【００９６】
また、減算回路４４６の正側端子には、ＬＡＮ信号受信回路４４５の出力信号ＳＧ418が供給され、この減算回路４４６の負側端子には、送信信号ＳＧ417が供給される。この減算回路４４６では、ＬＡＮ信号受信回路４４５の出力信号ＳＧ418から送信信号ＳＧ417が減算され、受信信号（受信データ）ＳＧ419が得られる。
【００９７】
また、プルダウン抵抗４５１およびＡＣ結合容量４４３の互いの接続点Ｑ３は、抵抗４５２および容量４５３の直列回路を介して接地線に接続される。そして、抵抗４５２および容量４５３の互いの接続点に得られるローパスフィルタの出力信号は比較器４５４の一方の入力端子に供給される。この比較器４５４では、ローパスフィルタの出力信号が他方の入力端子に供給される基準電圧Ｖref3（＋１．２５Ｖ）と比較される。この比較器４５４の出力信号ＳＧ416は、ＣＰＵ２７１に供給される。
【００９８】
ＨＤＭＩケーブル３５１に含まれるリザーブライン５０１およびＨＰＤライン５０２は、差動ツイストペアを構成している。リザーブライン５０１のソース側端５１１はＨＤＭＩ端子２１１の１４ピンに接続され、当該リザーブライン５０１のシンク側端５２１はＨＤＭＩ端子２５１の１４ピンに接続される。また、ＨＰＤライン５０２のソース側端５１２はＨＤＭＩ端子２１１の１９ピンに接続され、当該ＨＰＤライン５０２のシンク側端５２２はＨＤＭＩ端子２５１の１９ピンに接続される。
【００９９】
ゲーム機２１０において、上述したプルアップ抵抗４２１とＡＣ結合容量４１３の互いの接続点Ｑ１はＨＤＭＩ端子２１１の１４ピンに接続され、また、上述したプルダウン抵抗４３１とＡＣ結合容量４１４の互いの接続点Ｑ２はＨＤＭＩ端子２１１の１９ピンに接続される。一方、テレビ受信機２５０において、上述したプルダウン抵抗４５１とＡＣ結合容量４４３の互いの接続点Ｑ３はＨＤＭＩ端子２５１の１４ピンに接続され、また、上述したチョークコイル４６１とＡＣ結合容量４４４の互いの接続点Ｑ４はＨＤＭＩ端子２５１の１９ピンに接続される。
【０１００】
次に、上述したように構成された高速データラインインタフェース２１３，２５３によるＬＡＮ通信の動作を説明する。
【０１０１】
ゲーム機２１０において、送信信号（送信データ）ＳＧ411はＬＡＮ信号送信回路４１１の入力側に供給され、このＬＡＮ信号送信回路４１１から送信信号ＳＧ411に対応した差動信号（正出力信号、負出力信号）が出力される。そして、ＬＡＮ信号送信回路４１１から出力される差動信号は、接続点Ｐ１，Ｐ２に供給され、ＨＤＭＩケーブル３５１の１対のライン（リザーブライン５０１、ＨＰＤライン５０２）を通じて、テレビ受信機２５０に送信される。
【０１０２】
また、テレビ受信機２５０において、送信信号（送信データ）ＳＧ417はＬＡＮ信号送信回路４４１の入力側に供給され、このＬＡＮ信号送信回路４４１から送信信号ＳＧ417に対応した差動信号（正出力信号、負出力信号）が出力される。そして、ＬＡＮ信号送信回路４４１から出力される差動信号は、接続点Ｐ３，Ｐ４に供給され、ＨＤＭＩケーブル３５１の１対のライン（リザーブライン５０１、ＨＰＤライン５０２）を通じて、ゲーム機２１０に送信される。
【０１０３】
また、ゲーム機２１０において、ＬＡＮ信号受信回路４１５の入力側は接続点Ｐ１，Ｐ２に接続されていることから、当該ＬＡＮ信号受信回路４１５の出力信号ＳＧ412として、ＬＡＮ信号送信回路４１１から出力された差動信号（電流信号）に対応した送信信号と、上述したようにテレビ受信機２５０から送信されてくる差動信号に対応した受信信号との加算信号が得られる。減算回路４１６では、ＬＡＮ信号受信回路４１５の出力信号ＳＧ412から送信信号ＳＧ411が減算される。そのため、この減算回路４１６の出力信号ＳＧ413は、テレビ受信機２５０の送信信号（送信データ）ＳＧ417に対応したものとなる。
【０１０４】
また、テレビ受信機２５０において、ＬＡＮ信号受信回路４４５の入力側は接続点Ｐ３，Ｐ４に接続されていることから、当該ＬＡＮ信号受信回路４４５の出力信号ＳＧ418として、ＬＡＮ信号送信回路４４１から出力された差動信号（電流信号）に対応した送信信号と、上述したようにゲーム機２１０から送信されてくる差動信号に対応した受信信号との加算信号が得られる。減算回路４４６では、ＬＡＮ信号受信回路４４５の出力信号ＳＧ418から送信信号ＳＧ417が減算される。そのため、この減算回路４４６の出力信号ＳＧ419は、ゲーム機２１０の送信信号（送信データ）ＳＧ411に対応したものとなる。
【０１０５】
このように、ゲーム機２１０の高速データラインインタフェース２１３と、テレビ受信機２５０の高速データラインインタフェース２５３との間では、双方向のＬＡＮ通信を行うことができる。
【０１０６】
なお、図８において、ＨＰＤライン５０２は、上述のＬＡＮ通信の他に、ＤＣバイアスレベルで、ＨＤＭＩケーブル３５１がテレビ受信機２５０に接続されたことをゲーム機２１０に伝達する。すなわち、テレビ受信機２５０内の抵抗４６２，４６３とチョークコイル４６１は、ＨＤＭＩケーブル３５１がテレビ受信機２５０に接続されるとき、ＨＰＤライン５０２を、ＨＤＭＩ端子２５１の１９ピンを介して、約４Ｖにバイアスする。ゲーム機２１０は、ＨＰＤライン５０２のＤＣバイアスを、抵抗４３２と容量４３３からなるローパスフィルタで抽出し、比較器４３４で基準電圧Vref2（例えば、１．４Ｖ）と比較する。
【０１０７】
ＨＤＭＩ端子２１１の１９ピンの電圧は、ＨＤＭＩケーブル３５１がテレビ受信機２５０に接続されていなければ、プルダウン抵抗４３１が存在するために基準電圧Ｖref2より低く、逆に、ＨＤＭＩケーブル３５１がテレビ受信機２５０に接続されていれば基準電圧Ｖref2より高い。したがって、比較器４３４の出力信号ＳＧ415は、ＨＤＭＩケーブル３５１がテレビ受信機２５０に接続されているときは高レベルとなり、そうでないときは低レベルとなる。これにより、ゲーム機２１０のＣＰＵ２２１は、比較器４３４の出力信号ＳＧ415に基づいて、ＨＤＭＩケーブル３５１がテレビ受信機２５０に接続されたか否かを認識できる。
【０１０８】
また、図８において、リザーブライン５０１のＤＣバイアス電位で、ＨＤＭＩケーブル３５１の両端に接続された機器が、ＬＡＮ通信が可能な機器（以下、「ｅ−ＨＤＭＩ対応機器」という）であるか、ＬＡＮ通信が不可能な機器（以下、「ｅ−ＨＤＭＩ非対応機器」かを、相互に認識する機能を有している。
【０１０９】
上述したように、ゲーム機２１０はリザーブライン５０１を抵抗４２１でプルアップ（＋５Ｖ）し、テレビ受信機２５０はリザーブライン５０１を抵抗４５１でプルダウンする。抵抗４２１，４５１は、ｅ−ＨＤＭＩ非対応機器には存在しない。
【０１１０】
ゲーム機２１０は、上述したように、比較器４２４で、抵抗４２２および容量４２３からなるローパスフィルタを通過したリザーブライン５０１のＤＣ電位を基準電圧Ｖref1と比較する。テレビ受信機２５０が、ｅ−ＨＤＭＩ対応機器でプルダウン抵抗４５１があるときには、リザーブライン５０１の電圧が２．５Ｖとなる。しかし、テレビ受信機２５０が、ｅ−ＨＤＭＩ非対応機器でプルダウン抵抗４５１がないときには、リザーブライン５０１の電圧がプルアップ抵抗４２１の存在により５Ｖとなる。
【０１１１】
そのため、基準電圧Ｖref1が例えば３．７５Ｖとされることで、比較器４２４の出力信号ＳＧ414は、テレビ受信機２５０がｅ−ＨＤＭＩ対応機器であるときは低レベルとなり、そうでないときは高レベルとなる。これにより、ゲーム機２１０のＣＰＵ２２１は、比較器４２４の出力信号ＳＧ414に基づいて、テレビ受信機２５０がｅ−ＨＤＭＩ対応機器であるか否かを認識できる。
【０１１２】
同様に、テレビ受信機２５０は、上述したように、比較器４５４で、抵抗４５２および容量４５３からなるローパスフィルタを通過したリザーブライン５０１のＤＣ電位を基準電圧Ｖref3と比較する。ゲーム機２１０が、ｅ−ＨＤＭＩ対応機器でプルアップ抵抗４２１があるときには、リザーブライン５０１の電圧が２．５Ｖとなる。しかし、ゲーム機２１０が、ｅ−ＨＤＭＩ非対応機器でプルアップ抵抗４２１がないときには、リザーブライン５０１の電圧がプルダウン抵抗４５１の存在により０Ｖとなる。
【０１１３】
そのため、基準電圧Ｖref3が例えば１．２５Ｖとされることで、比較器４５４の出力信号ＳＧ416は、ゲーム機２１０がｅ−ＨＤＭＩ対応機器であるときは高レベルとなり、そうでないときは低レベルとなる。これにより、テレビ受信機２５０のＣＰＵ２７１は、比較器４５４の出力信号ＳＧ416に基づいて、ゲーム機２１０がｅ−ＨＤＭＩ対応機器であるか否かを認識できる。
【０１１４】
図８に示す構成例によれば、１本のＨＤＭＩケーブル３５１で映像と音声のデータ伝送と接続機器情報の交換および認証と機器制御データの通信とＬＡＮ通信を行うインタフェースにおいて、ＬＡＮ通信が１対の差動伝送路を介した双方向通信で行われ、伝送路のうちの少なくとも片方のＤＣバイアス電位によってインタフェースの接続状態が通知されることから、物理的にＳＣＬライン、ＳＤＡラインをＬＡＮ通信につかわない空間的分離を行うことが可能となる。その結果、その分割によりＤＤＣに関して規定された電気的仕様と無関係にＬＡＮ通信のための回路を形成することができ、安定で確実なＬＡＮ通信が安価に実現できる。
【０１１５】
次に、図１に示すＡＶシステム２００において、ゲーム時、あるいは映画視聴時に、ゲーム機２１０からテレビ受信機２５０に送信される付加価値画像データの具体例について説明する。
【０１１６】
（１）粒状ノイズ（フィルムノイズ）付加
図９に示すように、ゲーム機２１０からテレビ受信機２５０に、付加価値画像データとして、粒状ノイズデータが送信される。この場合、図９（ａ）に示す本編の画像データ（ＭＰＥＧデータ）は、ゲーム機２１０からテレビ受信機２５０に、高速データラインを用いて、イーサのＩＰパケットで送信される。また、図９（ｂ）に示す粒状ノイズデータ（ベースバンド）は、ゲーム機２１０からテレビ受信機２５０に、ＨＤＭＩのＴＭＤＳチャネルを用いて送信される。
【０１１７】
テレビ受信機２５０の合成部２６８では、本編の画像データに粒状ノイズデータが加算されて合成画像データが生成され、表示パネル２６３には、図９（ｃ）に示すように粒状ノイズ（フィルムノイズ）が付加された画像が表示される。
【０１１８】
なお、粒状ノイズ（フィルムノイズ）に関しては、表示パネル毎に適したノイズがある。そのため、図１に示すＡＶシステム２００において、ゲーム機２１０は、テレビ受信機２５０からＨＤＭＩのＤＤＣチャネルを用いて読み出したＥ−ＥＤＩＤ情報からテレビ受信機２５０の表示パネル２６３の情報を取得する。さらに、ゲーム機２１０は、必要に応じて、インターネットに接続し、当該表示パネル２６３のさらに詳細な情報を取得する。
【０１１９】
粒状ノイズは趣味性が高く、コンテンツに依存し、場面によってコントロールすることが多く、ソフトウェア処理に適する。したがって、上述したように、粒状ノイズデータをゲーム機２１０側で発生し、テレビ受信機２５０に送信することが好ましい。一方、本編の画像データのデコード処理は規格で決められているため、テレビ受信機２５０のハードウェア（ファームウェア）処理に向き、上述したように、本編の画像データをエンコードされている状態で、高速データラインを介して、ゲーム機２１０からテレビ受信機２５０に送信する構成とすることで、テレビ受信機２５０のリソースを効果的に使うことができる。
【０１２０】
（２）高解像度化
図１０に示すように、ゲーム機２１０からテレビ受信機２５０に、付加価値画像データとして、高解像度差分データが送信される。この場合、図１０（ａ）に示す本編の画像データ（ＭＰＥＧデータ）は、ゲーム機２１０からテレビ受信機２５０に、高速データラインを用いて、イーサのＩＰパケットで送信される。また、図１０（ｂ）に示す高解像度差分データ（ベースバンド）は、ゲーム機２１０からテレビ受信機２５０に、ＨＤＭＩのＴＭＤＳチャネルを用いて送信される。
【０１２１】
テレビ受信機２５０の合成部２６８では、本編の画像データに高解像度差分データが加算されて合成画像データが生成され、表示パネル２６３には、図１０（ｃ）に示すように高解像度化された画像が表示される。
【０１２２】
なお、本編の画像データに高解像度差分データを加算する際には、同期を取る必要がある。この同期のために、図１１に示すように、ゲーム機２１０は、予め、テレビ受信機２５０から、高速データライン、あるいは、ＣＥＣラインを用いて、同期情報を取得する。この同期情報は、図１２に示すように、テレビ受信機２５０において、高速データラインでイーサのＩＰパケットにより送信された画像データ（ＭＰＥＧデータ）による画像表示タイミングと、ＨＤＭＩのＴＭＤＳチャネルで送信された画像データ（ベースバンドデータ）による画像表示タイミングとのずれを示す情報である。このずれは、テレビ受信機２５０において、ＧＯＰ(Group Of Picture)のＩＰパケットを受け取ってデコードし、フレーム単位で出力するまでの時間である。
【０１２３】
ゲーム機２１０は、上述した同期情報に基づいて、本編の画像データと高解像度差分データとの送信タイミングを調整し、テレビ受信機２５０側で合成される際に双方の画像データのタイミングが合うようにする。
【０１２４】
高解像度差分データは情報処理量が多く、また、場面に合わせて集中的に付加する必要があり、ソフトウェア処理に適する。したがって、上述したように、高解像度差分データをゲーム機２１０側で発生し、テレビ受信機２５０に送信することが好ましい。
【０１２５】
（３）高輝度化
図１３に示すように、ゲーム機２１０からテレビ受信機２５０に、付加価値画像データとして、輝度差分データが送信される。この場合、図１３（ａ）に示す本編の画像データ（ＭＰＥＧデータ）は、ゲーム機２１０からテレビ受信機２５０に、高速データラインを用いて、イーサのＩＰパケットで送信される。また、図１３（ｂ）に示す輝度差分データ（ベースバンド）は、ゲーム機２１０からテレビ受信機２５０に、ＨＤＭＩのＴＭＤＳチャネルを用いて送信される。
【０１２６】
テレビ受信機２５０の合成部２６８では、本編の画像データに輝度差分データが加算されて合成画像データが生成され、表示パネル２６３には、図１３（ｃ）に示すように高輝度化（ＨＤＲ：ハイダイナミックレンジ）された画像が表示される。
【０１２７】
この場合、ゲーム機２１０は、テレビ受信機２５０から取得したパネル情報に基づいて、表示パネルに適した輝度差分データを生成できる。また、この場合においても、ゲーム機２１０は、上述した高解像度化の場合と同様に、テレビ受信機２５０から供給される同期情報に基づいて、本編の画像データと輝度差分データとの送信タイミングを調整し、テレビ受信機２５０側で合成される際に双方の画像データのタイミングが合うようにする。
【０１２８】
なお、表示パネル２６３が発光ダイオードを２次元配列したバックパネル照明を備える場合には、上述した輝度差分データを合成部２６８で本編の画像データに加算するのではなく、当該輝度差分データに基づいてバックパネル照明の制御を行って高輝度化を実現することもできる。このようなバックパネル照明の制御は、本編の画像データとは別個に、輝度差分データが送られてくることで、初めて実現できるものである。
【０１２９】
（４）ハイフレームレート化
図１４に示すように、ゲーム機２１０からテレビ受信機２５０に、付加価値画像データとして、本編の画像データのフレーム間に補間される補間画像データが送信される。この場合、図１４（ａ）に示す本編の６０fpsの画像データ（ＭＰＥＧデータ）は、ゲーム機２１０からテレビ受信機２５０に、高速データラインを用いて、イーサのＩＰパケットで送信される。また、図１４（ｂ）に示すベースバンドの補間画像データ（６０fps）は、ゲーム機２１０からテレビ受信機２５０に、ＨＤＭＩのＴＭＤＳチャネルを用いて送信される。
【０１３０】
テレビ受信機２５０の合成部２６８では、本編の画像データのフレーム間に補間画像データが挿入されて合成画像データが生成され、表示パネル２６３には、図１４（ｃ）に示すように１２０fpsのハイフレームレート（ＨＦＲ）化された画像が表示される。
【０１３１】
この場合においても、ゲーム機２１０は、上述した高解像度化の場合と同様に、テレビ受信機２５０から供給される同期情報に基づいて、本編の画像データと補間画像データとの送信タイミングを調整し、テレビ受信機２５０側で合成される際に双方の画像データのタイミングが合うようにする。
【０１３２】
（５）ステレオ表示
図１５に示すように、ゲーム機２１０からテレビ受信機２５０に、付加価値画像データとして、本編の画像データが左眼用画像データであるとき右眼用画像データ、本編の画像データが右眼用データあるとき左眼用画像データが送信される。この場合、図１５（ａ）に示す本編の画像データ（左眼用または右眼用のＭＰＥＧデータ）は、ゲーム機２１０からテレビ受信機２５０に、高速データラインを用いて、イーサのＩＰパケットで送信される。また、図１５（ｂ）に示すベースバンドの補間画像データ（右眼用または左眼用）は、ゲーム機２１０からテレビ受信機２５０に、ＨＤＭＩのＴＭＤＳチャネルを用いて送信される。
【０１３３】
テレビ受信機２５０の合成部２６８では、本編の画像データのフレーム間に補間画像データが挿入されて合成画像データが生成され、表示パネル２６３には、図１５（ｃ）に示すように、左眼用画像および右眼用画像が交互に表示され、ステレオ表示がなされる。
【０１３４】
この場合においても、ゲーム機２１０は、上述した高解像度化の場合と同様に、テレビ受信機２５０から供給される同期情報に基づいて、本編の画像データと補間画像データとの送信タイミングを調整し、テレビ受信機２５０側で合成される際に双方の画像データのタイミングが合うようにする。
【０１３５】
（６）インタフェース画面（ＸＭＢ）
図１６に示すように、ゲーム機２１０からテレビ受信機２５０に、付加価値画像データとして、インタフェース画面用の画像データが送信される。この場合、図１６（ａ）に示す本編の画像データ（ＭＰＥＧデータ）は、ゲーム機２１０からテレビ受信機２５０に、高速データラインを用いて、イーサのＩＰパケットで送信される。また、図１６（ｂ）に示すインタフェース画面用の画像データ（ベースバンド）は、ゲーム機２１０からテレビ受信機２５０に、ＨＤＭＩのＴＭＤＳチャネルを用いて送信される。
【０１３６】
テレビ受信機２５０の合成部２６８では、本編の画像データにインタフェース画面用の画像データが重畳されて合成画像データが生成され、表示パネル２６３には、図１６（ｃ）に示すように、本編の画像上にインタフェース画面がオーバーラップ表示される。この図１６の例は、本編の画像上にインタフェース画面として、クロスメディアバー（ＸＭＢ：Cross Media Bar）が表示されるようにした例である。
【０１３７】
クロスメディアバーは、デジタル放送や外部接続機器の多チャンネル／多機能を快適に操作できるＧＵＩ（グラフィカル・ユーザ・インタフェース）である（特開２００４−３５６７７４号公報参照）。このクロスメディアバーでは、横にカテゴリ（ビデオ、ミュージック等）、縦にコンテンツ（項目）が表示される。リモコンで絵文字をスクロールすると、目的の番組や接続機器の映像（コンテンツ）がスピーディに表示される。なお、「クロスメディアバー」および「ＸＭＢ」は登録商標である。
【０１３８】
（７）インタフェース画面（操作画面）
図１７に示すように、ゲーム機２１０からテレビ受信機２５０に、付加価値画像データとして、インタフェース画面用の画像データが送信される。この場合、図１７（ａ）に示す本編の画像データ（ＭＰＥＧデータ）は、ゲーム機２１０からテレビ受信機２５０に、高速データラインを用いてイーサのＩＰパケットで送信される。また、図１７（ｂ）に示すインタフェース画面用の画像データ（ベースバンド）は、ゲーム機２１０からテレビ受信機２５０に、ＨＤＭＩのＴＭＤＳチャネルを用いて送信される。
【０１３９】
テレビ受信機２５０では、図１７（ｃ）に示すように表示パネル２６３に本編の画像（メイン画面）が表示され、図１７（ｄ）に示すように表示パネル２６３とは別個に設けられた他の表示パネル、例えば、テレビ受信機２５０に有線または無線で接続されたリモコン送信機の表示パネル２６３′には、操作画面（サブ画面）が表示される。
【０１４０】
この場合も、インタフェース画面用の画像データがゲーム機２１０からテレビ受信機２５０にＨＤＭＩのＴＭＤＳチャネルを用いて送信されるものであり、ゲーム機２１０におけるエンコード処理、テレビ受信機２５０におけるデコード処理がなく、リッチな低レイテンシＧＵＩを提供できる。
【０１４１】
上述したように、図１に示すＡＶシステム２００においては、付加価値画像データ（第２の画像データ）を、ゲーム機２１０からテレビ受信機２５０に、本編の画像データ（第１の画像データ）とは別個に送信して使用する構成としたものである。そのため、付加価値画像データを得るために、ゲーム機２１０の画像処理リソースを、有効に活用できる。また、伝送路のバンド幅等に制限されずに、規格を越えた付加価値を出すことも可能となる。したがって、図１に示すＡＶシステム２００においては、良好な付加価値表示を行うことができる。
【０１４２】
なお、上述実施の形態においては、本編の画像データ（ＭＰＥＧデータ）を、高速データラインを用いて、イーサのＩＰパケットで送信し、付加価値画像データ（ベースバンド）を、ＨＤＭＩのＴＭＤＳチャネルを用いて送信するものを示したが、この逆にすることも考えられる。すなわち、本編の画像データ（ベースバンド）を、ＨＤＭＩのＴＭＤＳチャネルを用いて送信し、付加価値画像データ（ＭＰＥＧデータ）を、高速データラインを用いて、イーサのＩＰパケットで送信する。
【０１４３】
図１８は、ゲーム機２１０からテレビ受信機２５０に、付加価値画像データとして、インタフェース画面用の画像データが送信される例を示している。この場合、図１８（ａ）に示すインタフェース画面用の画像データ（ＭＰＥＧデータ）は、ゲーム機２１０からテレビ受信機２５０に、高速データラインを用いて、イーサのＩＰパケットで送信される。また、図１８（ｂ）に示す本編の画像データ（ベースバンド）は、ゲーム機２１０からテレビ受信機２５０に、ＨＤＭＩのＴＭＤＳチャネルを用いて送信される。
【０１４４】
テレビ受信機２５０の合成部２６８では、本編の画像データにインタフェース画面用の画像データが重畳されて合成画像データが生成され、表示パネル２６３には、図１８（ｃ）に示すように、本編の画像上にインタフェース画面がオーバーラップ表示される。
【０１４５】
この場合にあっても、インタフェース画面用の画像データのコーデックに低レイテンシコーデック（ＬＬＶＣ等）を採用することで、低レイテンシＧＵＩを提供できる。
【０１４６】
また、図１９は、ゲーム機２１０からテレビ受信機２５０に、付加価値画像データとして、インタフェース画面用の画像データが送信される例を示している。この場合、図１９（ａ）に示すインタフェース画面用の画像データ（ＭＰＥＧデータ）は、ゲーム機２１０からテレビ受信機２５０に、高速データラインを用いてイーサのＩＰパケットで送信される。また、図１９（ｂ）に示す本編の画像データ（ベースバンド）は、ゲーム機２１０からテレビ受信機２５０に、ＨＤＭＩのＴＭＤＳチャネルを用いて送信される。
【０１４７】
テレビ受信機２５０では、図１９（ｃ）に示すように表示パネル２６３とは別個に設けられた他の表示パネル、例えば、テレビ受信機２５０に有線または無線で接続されたリモコン送信機の表示パネル２６３′には、操作画面（サブ画面）が表示され、図１９（ｄ）に示すように表示パネル２６３に本編の画像（メイン画面）が表示される。
【０１４８】
この場合も、インタフェース画面用の画像データのコーデックに低レイテンシコーデック（ＬＬＶＣ等）が採用されることで、低レイテンシＧＵＩを提供できる。
【０１４９】
また、上述実施の形態においては、ゲーム機２１０からテレビ受信機２５０に本編の画像データを送信するものを示したが、本編の画像データが、テレビ受信機２５０に既に存在する場合には、当該本編の画像データをゲーム機２１０からテレビ受信機２５０に送る必要はない。テレビ受信機２５０側に本編の画像データが存在する場合として、例えば、テレビ受信機２５０で受信された所定番組の画像データを本編の画像データとし、この画像データを高速データラインを介してゲーム機２１０に送信し、ゲーム機２１０では当該本編の画像データに基づいて付加価値画像データを生成する場合等がある。
【０１５０】
なお、図１に示すＡＶシステム２００においては、双方向通信を行う通信部がＨＤＭＩケーブル３５１のリザーブライン（Ether−ライン）およびＨＰＤライン（Ether＋ライン）を用いて構成されるものを示したが、双方向通信を行う通信部の構成は、これに限定されるものではない。以下に、その他の構成例を説明する。以下の例では、ゲーム機２１０をソース機器とし、テレビ受信機２５０をシンク機器として説明する。
【０１５１】
図２０は、ＣＥＣライン８４、およびリザーブライン８８を用いて、半二重通信方式によるＩＰ通信を行う例である。なお、図２０において図４と対応する部分については、同一の符号を付してあり、その説明は適宜省略する。
【０１５２】
ソース機器の高速データラインインタフェース２１３は、変換部１３１、復号部１３２、スイッチ１３３、切り換え制御部１２１、およびタイミング制御部１２２を有している。変換部１３１には、ソース機器とシンク機器との間での双方向のＩＰ通信により、ソース機器からシンク機器に送信されるデータである、Ｔｘデータが供給される。
【０１５３】
変換部１３１は、例えば、差動アンプリファイアにより構成され、供給されたＴｘデータを２つの部分信号からなる差動信号に変換する。また、変換部１３１は、変換により得られた差動信号をＣＥＣライン８４、およびリザーブライン８８を介してシンク機器に送信する。すなわち、変換部１３１は、変換により得られた差動信号を構成する一方の部分信号をＣＥＣライン８４、より詳細にはソース機器に設けられた信号線であって、ＨＤＭＩケーブル３５１のＣＥＣライン８４に接続される信号線を介してスイッチ１３３に供給し、差動信号を構成する他方の部分信号をリザーブライン８８、より詳細には、ソース機器に設けられた信号線であって、ＨＤＭＩケーブル３５１のリザーブライン８８に接続される信号線、およびリザーブライン８８を介してシンク機器に供給する。
【０１５４】
復号部１３２は、例えば、差動アンプリファイアにより構成され、その入力端子が、ＣＥＣライン８４およびリザーブライン８８に接続されている。復号部１３２は、タイミング制御部１２２の制御に基づいて、ＣＥＣライン８４およびリザーブライン８８を介してシンク機器から送信されてきた差動信号、つまりＣＥＣライン８４上の部分信号およびリザーブライン８８上の部分信号からなる差動信号を受信し、元のデータであるＲｘデータに復号して出力する。ここで、Ｒｘデータとは、ソース機器とシンク機器との間での双方向のＩＰ通信により、シンク機器からソース機器に送信されるデータである。
【０１５５】
スイッチ１３３には、データを送信するタイミングにおいて、ソース機器の制御部（ＣＰＵ）からのＣＥＣ信号、または変換部１３１からのＴｘデータに対応する差動信号を構成する部分信号が供給され、データを受信するタイミングにおいて、シンク機器からのＣＥＣ信号、またはシンク機器からのＲｘデータに対応する差動信号を構成する部分信号が供給される。スイッチ１３３は、切り換え制御部１２１からの制御に基づいて、制御部（ＣＰＵ）からのＣＥＣ信号、もしくはシンク機器からのＣＥＣ信号、またはＴｘデータに対応する差動信号を構成する部分信号、もしくはＲｘデータに対応する差動信号を構成する部分信号を選択して出力する。
【０１５６】
すなわち、スイッチ１３３は、ソース機器がシンク機器にデータを送信するタイミングにおいて、制御部（ＣＰＵ）から供給されたＣＥＣ信号、または変換部１３１から供給された部分信号のうちのいずれかを選択し、選択したＣＥＣ信号または部分信号を、ＣＥＣライン８４を介してシンク機器に送信する。
【０１５７】
また、スイッチ１３３は、ソース機器がシンク機器から送信されてきたデータを受信するタイミングにおいて、ＣＥＣライン８４を介してシンク機器から送信されてきたＣＥＣ信号、またはＲｘデータに対応する差動信号の部分信号を受信し、受信したＣＥＣ信号または部分信号を、制御部（ＣＰＵ）または復号部１３２に供給する。
【０１５８】
切り換え制御部１２１はスイッチ１３３を制御して、スイッチ１３３に供給される信号のうちのいずれかが選択されるようにスイッチ１３３を切り換える。タイミング制御部１２２は、復号部１３２による差動信号の受信のタイミングを制御する。
【０１５９】
また、シンク機器の高速データラインインタフェース２５３は、変換部１３４、復号部１３６、スイッチ１３５、切り換え制御部１２４、およびタイミング制御部１２３を有している。変換部１３４は、例えば、差動アンプリファイアにより構成され、変換部１３４にはＲｘデータが供給される。変換部１３４は、タイミング制御部１２３の制御に基づいて、供給されたＲｘデータを２つの部分信号からなる差動信号に変換し、変換により得られた差動信号をＣＥＣライン８４およびリザーブライン８８を介してソース機器に送信する。
【０１６０】
すなわち、変換部１３４は、変換により得られた差動信号を構成する一方の部分信号をＣＥＣライン８４、より詳細にはシンク機器に設けられた信号線であって、ＨＤＭＩケーブル３５１のＣＥＣライン８４に接続される信号線を介してスイッチ１３５に供給し、差動信号を構成する他方の部分信号をリザーブライン８８、より詳細には、シンク機器に設けられた信号線であって、ＨＤＭＩケーブル３５１のリザーブライン８８に接続される信号線、およびリザーブライン８８を介してソース機器に供給する。
【０１６１】
スイッチ１３５には、データを受信するタイミングにおいて、ソース機器からのＣＥＣ信号、またはソース機器からのＴｘデータに対応する差動信号を構成する部分信号が供給され、データを送信するタイミングにおいて、変換部１３４からのＲｘデータに対応する差動信号を構成する部分信号、またはシンク機器の制御部（ＣＰＵ）からのＣＥＣ信号が供給される。スイッチ１３５は、切り換え制御部１２４からの制御に基づいて、ソース機器からのＣＥＣ信号、もしくは制御部（ＣＰＵ）からのＣＥＣ信号、またはＴｘデータに対応する差動信号を構成する部分信号、若しくはＲｘデータに対応する差動信号を構成する部分信号を選択して出力する。
【０１６２】
すなわち、スイッチ１３５は、シンク機器がソース機器にデータを送信するタイミングにおいて、シンク機器の制御部（ＣＰＵ）から供給されたＣＥＣ信号、または変換部１３４から供給された部分信号のうちのいずれかを選択し、選択したＣＥＣ信号または部分信号を、ＣＥＣライン８４を介してソース機器に送信する。
【０１６３】
また、スイッチ１３５は、シンク機器がソース機器から送信されてきたデータを受信するタイミングにおいて、ＣＥＣライン８４を介してソース機器から送信されてきたＣＥＣ信号、またはＴｘデータに対応する差動信号の部分信号を受信し、受信したＣＥＣ信号または部分信号を、制御部（ＣＰＵ）または復号部１３６に供給する。
【０１６４】
復号部１３６は、例えば、差動アンプリファイアにより構成され、その入力端子が、ＣＥＣライン８４およびリザーブライン８８に接続されている。復号部１３６は、ＣＥＣライン８４およびリザーブライン８８を介してソース機器から送信されてきた差動信号、つまりＣＥＣライン８４上の部分信号およびリザーブライン８８上の部分信号からなる差動信号を受信し、元のデータであるＴｘデータに復号して出力する。
【０１６５】
切り換え制御部１２４はスイッチ１３５を制御して、スイッチ１３５に供給される信号のうちのいずれかが選択されるようにスイッチ１３５を切り換える。タイミング制御部１２３は、変換部１３４による差動信号の送信のタイミングを制御する。
【０１６６】
図２１は、ＣＥＣライン８４およびリザーブライン８８と、ＳＤＡ信号が伝送される信号線（ＳＤＡライン）およびＳＣＬ信号が伝送される信号線（ＳＣＬライン）とを用いて、全二重通信方式によるＩＰ通信を行う例である。なお、図２１において図２０と対応する部分については、同一の符号を付してあり、その説明は適宜省略する。
【０１６７】
ソース機器の高速データラインインタフェース２１３は、変換部１３１、スイッチ１３３、スイッチ１８１、スイッチ１８２、復号部１８３、切り換え制御部１２１および切り換え制御部１７１を有している。
【０１６８】
スイッチ１８１には、データを送信するタイミングにおいて、ソース機器の制御部（ＣＰＵ）からのＳＤＡ信号が供給され、データを受信するタイミングにおいて、シンク機器からのＳＤＡ信号、またはシンク機器からのＲｘデータに対応する差動信号を構成する部分信号が供給される。スイッチ１８１は、切り換え制御部１７１からの制御に基づいて、制御部（ＣＰＵ）からのＳＤＡ信号、もしくはシンク機器からのＳＤＡ信号、またはＲｘデータに対応する差動信号を構成する部分信号を選択して出力する。
【０１６９】
すなわち、スイッチ１８１は、ソース機器がシンク機器から送信されてくるデータを受信するタイミングにおいて、ＳＤＡ信号が伝送される信号線であるＳＤＡライン１９１を介してシンク機器から送信されてきたＳＤＡ信号、またはＲｘデータに対応する差動信号の部分信号を受信し、受信したＳＤＡ信号または部分信号を、制御部（ＣＰＵ）または復号部１８３に供給する。
【０１７０】
また、スイッチ１８１は、ソース機器がシンク機器にデータを送信するタイミングにおいて、制御部（ＣＰＵ）から供給されたＳＤＡ信号を、ＳＤＡライン１９１を介してシンク機器に送信するか、またはシンク機器に何も送信しない。
【０１７１】
スイッチ１８２には、データを送信するタイミングにおいて、ソース機器の制御部（ＣＰＵ）からのＳＣＬ信号が供給され、データを受信するタイミングにおいて、シンク機器からのＲｘデータに対応する差動信号を構成する部分信号が供給される。スイッチ１８２は、切り換え制御部１７１からの制御に基づいて、ＳＣＬ信号またはＲｘデータに対応する差動信号を構成する部分信号のうちのいずれかを選択して出力する。
【０１７２】
すなわち、スイッチ１８２は、ソース機器がシンク機器から送信されてくるデータを受信するタイミングにおいて、ＳＣＬ信号が伝送される信号線であるＳＣＬライン１９２を介してシンク機器から送信されてきた、Ｒｘデータに対応する差動信号の部分信号を受信し、受信した部分信号を復号部１８３に供給するか、または何も受信しない。
【０１７３】
また、スイッチ１８２は、ソース機器がシンク機器にデータを送信するタイミングにおいて、ソース機器の制御部（ＣＰＵ）から供給されたＳＣＬ信号を、ＳＣＬライン１９２を介してシンク機器に送信するか、または何も送信しない。
【０１７４】
復号部１８３は、例えば、差動アンプリファイアにより構成され、その入力端子が、ＳＤＡライン１９１およびＳＣＬライン１９２に接続されている。復号部１８３は、ＳＤＡライン１９１およびＳＣＬライン１９２を介してシンク機器から送信されてきた差動信号、つまりＳＤＡライン１９１上の部分信号およびＳＣＬライン１９２上の部分信号からなる差動信号を受信し、元のデータであるＲｘデータに復号して出力する。
【０１７５】
切り換え制御部１７１はスイッチ１８１およびスイッチ１８２を制御して、スイッチ１８１およびスイッチ１８２のそれぞれについて、供給される信号のうちのいずれかが選択されるようにスイッチ１８１およびスイッチ１８２を切り換える。
【０１７６】
また、シンク機器を構成する高速データラインインタフェース２５３は、変換部１８４、スイッチ１３５、スイッチ１８５、スイッチ１８６、復号部１３６、切り換え制御部１７２および切り換え制御部１２４を有している。
【０１７７】
変換部１８４は、例えば、差動アンプリファイアにより構成され、変換部１８４にはＲｘデータが供給される。変換部１８４は、供給されたＲｘデータを２つの部分信号からなる差動信号に変換し、変換により得られた差動信号をＳＤＡライン１９１およびＳＣＬライン１９２を介してソース機器に送信する。すなわち、変換部１８４は、変換により得られた差動信号を構成する一方の部分信号をスイッチ１８５を介してソース機器に送信し、差動信号を構成する他方の部分信号をスイッチ１８６を介してソース機器に送信する。
【０１７８】
スイッチ１８５には、データを送信するタイミングにおいて、変換部１８４からのＲｘデータに対応する差動信号を構成する部分信号、またはシンク機器の制御部（ＣＰＵ）からのＳＤＡ信号が供給され、データを受信するタイミングにおいて、ソース機器からのＳＤＡ信号が供給される。スイッチ１８５は、切り換え制御部１７２からの制御に基づいて、制御部（ＣＰＵ）からのＳＤＡ信号、もしくはソース機器からのＳＤＡ信号、またはＲｘデータに対応する差動信号を構成する部分信号を選択して出力する。
【０１７９】
すなわち、スイッチ１８５は、シンク機器がソース機器から送信されてくるデータを受信するタイミングにおいて、ＳＤＡライン１９１を介してソース機器から送信されてきたＳＤＡ信号を受信し、受信したＳＤＡ信号を制御部（ＣＰＵ）に供給するか、または何も受信しない。
【０１８０】
また、スイッチ１８５は、シンク機器がソース機器にデータを送信するタイミングにおいて、制御部（ＣＰＵ）から供給されたＳＤＡ信号、または変換部１８４から供給された部分信号を、ＳＤＡライン１９１を介してソース機器に送信する。
【０１８１】
スイッチ１８６には、データを送信するタイミングにおいて、変換部１８４からの、Ｒｘデータに対応する差動信号を構成する部分信号が供給され、データを受信するタイミングにおいて、ソース機器からのＳＣＬ信号が供給される。スイッチ１８６は、切り換え制御部１７２からの制御に基づいて、Ｒｘデータに対応する差動信号を構成する部分信号、またはＳＣＬ信号のうちのいずれかを選択して出力する。
【０１８２】
すなわち、スイッチ１８６は、シンク機器がソース機器から送信されてくるデータを受信するタイミングにおいて、ＳＣＬライン１９２を介してソース機器から送信されてきたＳＣＬ信号を受信し、受信したＳＣＬ信号を制御部（ＣＰＵ）に供給するか、または何も受信しない。
【０１８３】
また、スイッチ１８６は、シンク機器がソース機器にデータを送信するタイミングにおいて、変換部１８４から供給された部分信号を、ＳＣＬライン１９２を介してソース機器に送信するか、または何も送信しない。
【０１８４】
切り換え制御部１７２はスイッチ１８５およびスイッチ１８６を制御して、スイッチ１８５およびスイッチ１８６のそれぞれについて、供給される信号のうちのいずれかが選択されるようにスイッチ１８５およびスイッチ１８６を切り換える。
【０１８５】
ところで、ソース機器とシンク機器とがＩＰ通信を行う場合に、半二重通信が可能であるか、全二重通信が可能であるかは、ソース機器およびシンク機器のそれぞれの構成によって定まる。そこで、ソース機器は、シンク機器から受信したＥ−ＥＤＩＤを参照して、半二重通信を行うか、全二重通信を行うか、またはＣＥＣ信号の授受による双方向通信を行うかの判定を行う。
【０１８６】
ソース機器が受信するＥ−ＥＤＩＤは、例えば、図２２に示すように、基本ブロックと拡張ブロックとからなる。
【０１８７】
Ｅ−ＥＤＩＤの基本ブロックの先頭には、“Ｅ−ＥＤＩＤ１．３  Ｂａｓｉｃ  Ｓｔｒｕｃｔｕｒｅ”で表されるＥ−ＥＤＩＤ１．３の規格で定められたデータが配置され、続いて“Ｐｒｅｆｅｒｒｅｄ  ｔｉｍｉｎｇ”で表される従来のＥＤＩＤとの互換性を保つためのタイミング情報、および“２ｎｄ  ｔｉｍｉｎｇ”で表される従来のＥＤＩＤとの互換性を保つための“Ｐｒｅｆｅｒｒｅｄ  ｔｉｍｉｎｇ”とは異なるタイミング情報が配置されている。
【０１８８】
また、基本ブロックには、“２ｎｄ  ｔｉｍｉｎｇ”に続いて、“Ｍｏｎｉｔｏｒ  ＮＡＭＥ”で表される表示装置の名前を示す情報、および“Ｍｏｎｉｔｏｒ  Ｒａｎｇｅ  Ｌｉｍｉｔｓ”で表される、アスペクト比が４：３および１６：９である場合についての表示可能な画素数を示す情報が順番に配置されている。
【０１８９】
これに対して、拡張ブロックの先頭には、“Ｓｐｅａｋｅｒ  Ａｌｌｏｃａｔｉｏｎ”で表される左右のスピーカに関する情報が配置され、続いて“ＶＩＤＥＯ  ＳＨＯＲＴ”で表される、表示可能な画像サイズ、フレームレート、インターレースであるかプログレッシブであるかを示す情報、アスペクト比などの情報が記述されたデータ、“ＡＵＤＩＯ  ＳＨＯＲＴ”で表される、再生可能な音声コーデック方式、サンプリング周波数、カットオフ帯域、コーデックビット数などの情報が記述されたデータ、および“Ｓｐｅａｋｅｒ  Ａｌｌｏｃａｔｉｏｎ”で表される左右のスピーカに関する情報が順番に配置されている。
【０１９０】
また、拡張ブロックには、“Ｓｐｅａｋｅｒ  Ａｌｌｏｃａｔｉｏｎ”に続いて、“Ｖｅｎｄｅｒ  Ｓｐｅｃｉｆｉｃ”で表されるメーカごとに固有に定義されたデータ、“３ｒｄ  ｔｉｍｉｎｇ”で表される従来のＥＤＩＤとの互換性を保つためのタイミング情報、および“４ｔｈ  ｔｉｍｉｎｇ”で表される従来のＥＤＩＤとの互換性を保つためのタイミング情報が配置されている。
【０１９１】
さらに、“Ｖｅｎｄｅｒ  Ｓｐｅｃｉｆｉｃ”で表されるデータは、図２３に示すデータ構造となっている。すなわち、“Ｖｅｎｄｅｒ  Ｓｐｅｃｉｆｉｃ”で表されるデータには、１バイトのブロックである第０ブロック乃至第Ｎブロックが設けられている。
【０１９２】
“Ｖｅｎｄｅｒ  Ｓｐｅｃｉｆｉｃ”で表されるデータの先頭に配置された第０ブロックには、“Ｖｅｎｄｏｒ−Ｓｐｅｃｉｆｉｃ  ｔａｇ  ｃｏｄｅ（＝３）”で表されるデータ“Ｖｅｎｄｅｒ  Ｓｐｅｃｉｆｉｃ”のデータ領域を示すヘッダ、および“Ｌｅｎｇｔｈ（＝Ｎ）”で表されるデータ“Ｖｅｎｄｅｒ  Ｓｐｅｃｉｆｉｃ”の長さを示す情報が配置される。
【０１９３】
また、第１ブロック乃至第３ブロックには、“２４ｂｉｔ  ＩＥＥＥ  Ｒｅｇｉｓｔｒａｔｉｏｎ  Ｉｄｅｎｔｉｆｉｅｒ（０ｘ０００Ｃ０３）ＬＳＢ  ｆｉｒｓｔ”で表されるＨＤＭＩ（Ｒ）用として登録された番号“０ｘ０００Ｃ０３“を示す情報が配置される。さらに、第４ブロックおよび第５ブロックには、”Ａ“、”Ｂ“、”Ｃ“、および”Ｄ“のそれぞれにより表される、２４ｂｉｔのシンク機器の物理アドレスを示す情報が配置される。
【０１９４】
第６ブロックには、“Ｓｕｐｐｏｒｔｓ−ＡＩ”で表されるシンク機器が対応している機能を示すフラグ、“ＤＣ−４８ｂｉｔ”、“ＤＣ−３６ｂｉｔ”、および“ＤＣ−３０ｂｉｔ”のそれぞれで表される１ピクセル当たりのビット数を指定する情報のそれぞれ、“ＤＣ−Ｙ４４４”で表される、シンク機器がＹＣｂＣｒ４：４：４の画像の伝送に対応しているかを示すフラグ、および“ＤＶＩ−Ｄｕａｌ”で表される、シンク機器がデュアルＤＶＩ（Ｄｉｇｉｔａｌ  Ｖｉｓｕａｌ  Ｉｎｔｅｒｆａｃｅ）に対応しているかを示すフラグが配置されている。
【０１９５】
また、第７ブロックには、“Ｍａｘ−ＴＭＤＳ−Ｃｌｏｃｋ”で表されるＴＭＤＳのピクセルクロックの最大の周波数を示す情報が配置される。さらに、第８ブロックには、“Ｌａｔｅｎｃｙ”で表される映像と音声の遅延情報の有無を示すフラグ、“Ｆｕｌｌ  Ｄｕｐｌｅｘ”で表される全二重通信が可能であるかを示す全二重フラグ、および“Ｈａｌｆ  Ｄｕｐｌｅｘ”で表される半二重通信が可能であるかを示す半二重フラグが配置されている。
【０１９６】
ここで、たとえばセットされている（たとえば“１”に設定されている）全二重フラグは、シンク機器が全二重通信を行う機能を有している、つまり図２１に示した構成とされることを示しており、リセットされている（たとえば“０”に設定されている）全二重フラグは、シンク機器が全二重通信を行う機能を有していないことを示している。
【０１９７】
同様に、セットされている（たとえば“１”に設定されている）半二重フラグは、シンク機器が半二重通信を行う機能を有している、つまり図２０に示した構成とされることを示しており、リセットされている（たとえば“０”に設定されている）半二重フラグは、シンク機器が半二重通信を行う機能を有していないことを示している。
【０１９８】
また、“Ｖｅｎｄｅｒ  Ｓｐｅｃｉｆｉｃ”で表されるデータの第９ブロックには、“Ｖｉｄｅｏ  Ｌａｔｅｎｃｙ”で表されるプログレッシブの映像の遅延時間データが配置され、第１０ブロックには、“Ａｕｄｉｏ  Ｌａｔｅｎｃｙ”で表される、プログレッシブの映像に付随する音声の遅延時間データが配置される。さらに、第１１ブロックには、“Ｉｎｔｅｒｌａｃｅｄ  Ｖｉｄｅｏ  Ｌａｔｅｎｃｙ”で表されるインターレースの映像の遅延時間データが配置され、第１２ブロックには、“Ｉｎｔｅｒｌａｃｅｄ  Ａｕｄｉｏ  Ｌａｔｅｎｃｙ”で表される、インターレースの映像に付随する音声の遅延時間データが配置される。
【０１９９】
ソース機器は、シンク機器から受信したＥ−ＥＤＩＤに含まれている全二重フラグおよび半二重フラグに基づいて、半二重通信を行うか、全二重通信を行うか、またはＣＥＣ信号の授受による双方向通信を行うかの判定を行い、その判定結果にしたがって、シンク機器との双方向の通信を行う。
【０２００】
例えば、ソース機器が図２０に示した構成とされている場合、ソース機器は、図２０に示したシンク機器とは半二重通信を行うことができるが、図２１に示したシンク機器とは半二重通信を行うことができない。そこで、ソース機器は、ソース機器の電源がオンされると通信処理を開始し、ソース機器に接続されたシンク機器の有する機能に応じた双方向の通信を行う。
【０２０１】
以下、図２４のフローチャートを参照して、図２０に示したソース機器による通信処理について説明する。
【０２０２】
ステップＳ１１において、ソース機器は、ソース機器に新たな電子機器が接続されたか否かを判定する。例えば、ソース機器は、ＨＰＤライン８６が接続されるＨｏｔ  Ｐｌｕｇ  Ｄｅｔｅｃｔと呼ばれるピンに対して付加された電圧の大きさに基づいて、新たな電子機器（シンク機器）が接続されたか否かを判定する。
【０２０３】
ステップＳ１１において、新たな電子機器が接続されていないと判定された場合、通信は行われないので、通信処理は終了する。これに対して、ステップＳ１１において、新たな電子機器が接続されたと判定された場合、ステップＳ１２において、切り換え制御部１２１はスイッチ１３３を制御し、データの送信時においてソース機器の制御部（ＣＰＵ）からのＣＥＣ信号が選択され、データの受信時においてシンク機器からのＣＥＣ信号が選択されるように、スイッチ１３３を切り換える。
【０２０４】
ステップＳ１３において、ソース機器は、ＤＤＣ８３を介してシンク機器から送信されてきたＥ−ＥＤＩＤを受信する。すなわち、シンク機器は、ソース機器の接続を検出するとＥＤＩＤＲＯＭ８５からＥ−ＥＤＩＤを読み出し、読み出したＥ−ＥＤＩＤを、ＤＤＣ８３を介してソース機器に送信するので、ソース機器は、シンク機器から送信されてきたＥ−ＥＤＩＤを受信する。
【０２０５】
ステップＳ１４において、ソース機器は、シンク機器との半二重通信が可能であるか否かを判定する。すなわち、ソース機器は、シンク機器から受信したＥ−ＥＤＩＤを参照して、図２３の半二重フラグ“Ｈａｌｆ  Ｄｕｐｌｅｘ”がセットされているか否かを判定し、例えば、半二重フラグがセットされている場合、ソース機器は、半二重通信方式による双方向のＩＰ通信、つまり半二重通信が可能であると判定する。
【０２０６】
ステップＳ１４において、半二重通信が可能であると判定された場合、ステップＳ１５において、ソース機器は、双方向の通信に用いるチャネルを示すチャネル情報として、ＣＥＣライン８４およびリザーブライン８８を用いた半二重通信方式によるＩＰ通信を行う旨の信号を、スイッチ１３３およびＣＥＣライン８４を介してシンク機器に送信する。
【０２０７】
すなわち、半二重フラグがセットされている場合、ソース機器は、シンク機器が図２０に示した構成であり、ＣＥＣライン８４およびリザーブライン８８を用いた半二重通信が可能であることが分かるので、チャネル情報をシンク機器に送信して、半二重通信を行う旨を通知する。
【０２０８】
ステップＳ１６において、切り換え制御部１２１はスイッチ１３３を制御し、データの送信時において変換部１３１からのＴｘデータに対応する差動信号が選択され、データの受信時においてシンク機器からのＲｘデータに対応する差動信号が選択されるように、スイッチ１３３を切り換える。
【０２０９】
ステップＳ１７において、ソース機器の各部は、半二重通信方式により、シンク機器との双方向のＩＰ通信を行い、通信処理は終了する。すなわち、データの送信時において、変換部１３１は、制御部（ＣＰＵ）から供給されたＴｘデータを差動信号に変換し、変換により得られた差動信号を構成する部分信号のうちの一方をスイッチ１３３に供給し、他方の部分信号をリザーブライン８８を介してシンク機器に送信する。スイッチ１３３は、変換部１３１から供給された部分信号を、ＣＥＣライン８４を介してシンク機器に送信する。これにより、Ｔｘデータに対応する差動信号が、ソース機器からシンク機器に送信される。
【０２１０】
また、データの受信時において、復号部１３２は、シンク機器から送信されてきたＲｘデータに対応する差動信号を受信する。すなわち、スイッチ１３３は、ＣＥＣライン８４を介してシンク機器から送信されてきた、Ｒｘデータに対応する差動信号の部分信号を受信し、受信した部分信号を復号部１３２に供給する。復号部１３２は、スイッチ１３３から供給された部分信号、およびリザーブライン８８を介してシンク機器から供給された部分信号からなる差動信号を、タイミング制御部１２２の制御に基づいて、元のデータであるＲｘデータに復号し、制御部（ＣＰＵ）に出力する。
【０２１１】
これにより、ソース機器は、シンク機器と制御データや画素データ、音声データなど、各種のデータの授受を行う。
【０２１２】
また、ステップＳ１４において、半二重通信が可能でないと判定された場合、ステップＳ１８において、ソース機器は、ＣＥＣ信号の送受信を行うことで、シンク機器との双方向の通信を行い、通信処理は終了する。
【０２１３】
すなわち、データの送信時において、ソース機器は、スイッチ１３３およびＣＥＣライン８４を介して、ＣＥＣ信号をシンク機器に送信し、データの受信時において、ソース機器は、スイッチ１３３およびＣＥＣライン８４を介してシンク機器から送信されてきたＣＥＣ信号を受信することで、シンク機器との制御データの授受を行う。
【０２１４】
このようにして、ソース機器は、半二重フラグを参照し、半二重通信が可能なシンク機器と、ＣＥＣライン８４およびリザーブライン８８を用いて半二重通信を行う。
【０２１５】
このように、スイッチ１３３を切り換えて送信するデータ、および受信するデータを選択し、シンク機器と、ＣＥＣライン８４およびリザーブラインを用いた半二重通信、つまり半二重通信方式によるＩＰ通信を行うことで、従来のＨＤＭＩとの互換性を保ちつつ、高速の双方向通信を行うことができる。
【０２１６】
また、ソース機器と同様に、シンク機器も、電源がオンされると通信処理を開始し、ソース機器との双方向の通信を行う。
【０２１７】
以下、図２５のフローチャートを参照して、図２０に示したシンク機器による通信処理について説明する。
【０２１８】
ステップＳ４１において、シンク機器は、シンク機器に新たな電子機器（ソース機器）が接続されたか否かを判定する。例えば、シンク機器は、ＨＰＤライン８６が接続されたＨｏｔ  Ｐｌｕｇ  Ｄｅｔｅｃｔと呼ばれるピンに対して付加された電圧の大きさに基づいて、新たな電子機器が接続されたか否かを判定する。
【０２１９】
ステップＳ４１において、新たな電子機器が接続されていないと判定された場合、通信は行われないので、通信処理は終了する。これに対して、ステップＳ４１において、新たな電子機器が接続されたと判定された場合、ステップＳ４２において、切り換え制御部１２４はスイッチ１３５を制御し、データの送信時において、シンク機器の制御部（ＣＰＵ）からのＣＥＣ信号が選択され、データの受信時においてソース機器からのＣＥＣ信号が選択されるように、スイッチ１３５を切り換える。
【０２２０】
ステップＳ４３において、シンク機器は、ＥＤＩＤＲＯＭ８５からＥ−ＥＤＩＤを読み出し、読み出したＥ−ＥＤＩＤを、ＤＤＣ８３を介してソース機器に送信する。
【０２２１】
ステップＳ４４において、シンク機器は、ソース機器から送信されてきたチャネル情報を受信したか否かを判定する。
【０２２２】
すなわち、ソース機器からは、ソース機器およびシンク機器が有する機能に応じて、双方向の通信のチャネルを示すチャネル情報が送信されてくる。例えば、ソース機器が図２０に示すように構成される場合、ソース機器とシンク機器とは、ＣＥＣライン８４およびリザーブライン８８を用いた半二重通信が可能である。そのため、ソース機器からシンク機器には、ＣＥＣライン８４およびリザーブライン８８を用いたＩＰ通信を行う旨のチャネル情報が送信されてくる。シンク機器は、スイッチ１３５およびＣＥＣライン８４を介してソース機器から送信されてきたチャネル情報を受信し、チャネル情報を受信したと判定する。
【０２２３】
これに対して、ソース機器が半二重通信を行う機能を有していない場合、ソース機器からシンク機器には、チャネル情報が送信されてこないので、シンク機器は、チャネル情報を受信していないと判定する。
【０２２４】
ステップＳ４４において、チャネル情報を受信したと判定された場合、処理はステップＳ４５に進み、切り換え制御部１２４は、スイッチ１３５を制御し、データの送信時において変換部１３４からのＲｘデータに対応する差動信号が選択され、データの受信時においてソース機器からのＴｘデータに対応する差動信号が選択されるように、スイッチ１３５を切り換える。
【０２２５】
ステップＳ４６において、シンク機器は、半二重通信方式により、ソース機器との双方向のＩＰ通信を行い、通信処理は終了する。すなわち、データの送信時において、変換部１３４は、タイミング制御部１２３の制御に基づいて、シンク機器の制御部（ＣＰＵ）から供給されたＲｘデータを差動信号に変換し、変換により得られた差動信号を構成する部分信号のうちの一方をスイッチ１３５に供給し、他方の部分信号をリザーブライン８８を介してソース機器に送信する。スイッチ１３５は、変換部１３４から供給された部分信号を、ＣＥＣライン８４を介してソース機器に送信する。これにより、Ｒｘデータに対応する差動信号がシンク機器からソース機器に送信される。
【０２２６】
また、データの受信時において、復号部１３６は、ソース機器から送信されてきたＴｘデータに対応する差動信号を受信する。すなわち、スイッチ１３５は、ＣＥＣライン８４を介してソース機器から送信されてきた、Ｔｘデータに対応する差動信号の部分信号を受信し、受信した部分信号を復号部１３６に供給する。復号部１３６は、スイッチ１３５から供給された部分信号、およびリザーブライン８８を介してソース機器から供給された部分信号からなる差動信号を元のデータであるＴｘデータに復号し、制御部（ＣＰＵ）に出力する。
【０２２７】
これにより、シンク機器は、ソース機器と制御データや画素データ、音声データなど、各種のデータの授受を行う。
【０２２８】
また、ステップＳ４４において、チャネル情報を受信していないと判定された場合、ステップＳ４７において、シンク機器は、ＣＥＣ信号の送受信を行うことでソース機器との双方向の通信を行い、通信処理は終了する。
【０２２９】
すなわち、データの送信時において、シンク機器は、スイッチ１３５およびＣＥＣライン８４を介して、ＣＥＣ信号をソース機器に送信し、データの受信時において、シンク機器は、スイッチ１３５およびＣＥＣライン８４を介してソース機器から送信されてきたＣＥＣ信号を受信することで、ソース機器との制御データの授受を行う。
【０２３０】
このようにして、シンク機器は、チャネル情報を受信すると、シンク機器と、ＣＥＣライン８４およびリザーブライン８８を用いて半二重通信を行う。
【０２３１】
このように、シンク機器がスイッチ１３５を切り換えて送信するデータ、および受信するデータを選択し、ソース機器とＣＥＣライン８４およびリザーブライン８８を用いた半二重通信を行うことで、従来のＨＤＭＩとの互換性を保ちつつ、高速の双方向通信を行うことができる。
【０２３２】
また、ソース機器が図２１に示す構成とされる場合、ソース機器は、通信処理において、Ｅ−ＥＤＩＤに含まれる全二重フラグに基づいてシンク機器が全二重通信を行う機能を有しているかを判定し、その判定結果に応じた双方向の通信を行う。
【０２３３】
以下、図２６のフローチャートを参照して、図２１に示したソース機器による通信処理について説明する。
【０２３４】
ステップＳ７１において、ソース機器は、ソース機器に新たな電子機器が接続されたか否かを判定する。ステップＳ７１において、新たな電子機器が接続されていないと判定された場合、通信は行われないので、通信処理は終了する。
【０２３５】
これに対して、ステップＳ７１において、新たな電子機器が接続されたと判定された場合、ステップＳ７２において、切り換え制御部１７１は、スイッチ１８１およびスイッチ１８２を制御し、データの送信時において、スイッチ１８１によりソース機器の制御部（ＣＰＵ）からのＳＤＡ信号が選択され、スイッチ１８２によりソース機器の制御部（ＣＰＵ）からのＳＣＬ信号が選択され、さらにデータの受信時において、スイッチ１８１によりシンク機器からのＳＤＡ信号が選択されるように、スイッチ１８１およびスイッチ１８２を切り換える。
【０２３６】
ステップＳ７３において、切り換え制御部１２１はスイッチ１３３を制御し、データの送信時においてソース機器の制御部（ＣＰＵ）からのＣＥＣ信号が選択され、データの受信時においてシンク機器からのＣＥＣ信号が選択されるように、スイッチ１３３を切り換える。
【０２３７】
ステップＳ７４において、ソース機器は、ＤＤＣ８３のＳＤＡライン１９１を介してシンク機器から送信されてきたＥ−ＥＤＩＤを受信する。すなわち、シンク機器は、ソース機器の接続を検出するとＥＤＩＤＲＯＭ８５からＥ−ＥＤＩＤを読み出し、読み出したＥ−ＥＤＩＤを、ＤＤＣ８３のＳＤＡライン１９１を介してソース機器に送信するので、ソース機器は、シンク機器から送信されてきたＥ−ＥＤＩＤを受信する。
【０２３８】
ステップＳ７５において、ソース機器は、シンク機器との全二重通信が可能であるか否かを判定する。すなわち、ソース機器は、シンク機器から受信したＥ−ＥＤＩＤを参照して、図２３の全二重フラグ“Ｆｕｌｌ  Ｄｕｐｌｅｘ”がセットされているか否かを判定し、たとえば全二重フラグがセットされている場合、ソース機器は、全二重通信方式による双方向のＩＰ通信、つまり全二重通信が可能であると判定する。
【０２３９】
ステップＳ７５において、全二重通信が可能であると判定された場合、ステップＳ７６において、切り換え制御部１７１は、スイッチ１８１およびスイッチ１８２を制御し、データの受信時において、シンク機器からのＲｘデータに対応する差動信号が選択されるようにスイッチ１８１およびスイッチ１８２を切り換える。
【０２４０】
すなわち、切り換え制御部１７１は、データの受信時において、シンク機器から送信されてくる、Ｒｘデータに対応した差動信号を構成する部分信号のうち、ＳＤＡライン１９１を介して送信されてくる部分信号がスイッチ１８１により選択され、ＳＣＬライン１９２を介して送信されてくる部分信号がスイッチ１８２により選択されるように、スイッチ１８１およびスイッチ１８２を切り換える。
【０２４１】
ＤＤＣ８３を構成するＳＤＡライン１９１およびＳＣＬライン１９２は、シンク機器からソース機器にＥ−ＥＤＩＤが送信された後は利用されないので、つまりＳＤＡライン１９１およびＳＣＬライン１９２を介したＳＤＡ信号やＳＣＬ信号の送受信は行われないので、スイッチ１８１およびスイッチ１８２を切り換えて、ＳＤＡライン１９１およびＳＣＬライン１９２を、全二重通信によるＲｘデータの伝送路として利用することができる。
【０２４２】
ステップＳ７７において、ソース機器は、双方向の通信のチャネルを示すチャネル情報として、ＣＥＣライン８４およびリザーブライン８８と、ＳＤＡライン１９１およびＳＣＬライン１９２とを用いた全二重通信方式によるＩＰ通信を行う旨の信号を、スイッチ１３３およびＣＥＣライン８４を介してシンク機器に送信する。
【０２４３】
すなわち、全二重フラグがセットされている場合、ソース機器は、シンク機器が図２４に示した構成であり、ＣＥＣライン８４およびリザーブライン８８と、ＳＤＡライン１９１およびＳＣＬライン１９２とを用いた全二重通信が可能であることが分かるので、チャネル情報をシンク機器に送信して、全二重通信を行う旨を通知する。
【０２４４】
ステップＳ７８において、切り換え制御部１２１はスイッチ１３３を制御し、データの送信時において変換部１３１からのＴｘデータに対応する差動信号が選択されるように、スイッチ１３３を切り換える。すなわち、切り換え制御部１２１は、変換部１３１からスイッチ１３３に供給された、Ｔｘデータに対応する差動信号の部分信号が選択されるようにスイッチ１３３を切り換える。
【０２４５】
ステップＳ７９において、ソース機器は、全二重通信方式により、シンク機器との双方向のＩＰ通信を行い、通信処理は終了する。すなわち、データの送信時において、変換部１３１は、ソース機器の制御部（ＣＰＵ）から供給されたＴｘデータを差動信号に変換し、変換により得られた差動信号を構成する部分信号のうちの一方をスイッチ１３３に供給し、他方の部分信号をリザーブライン８８を介してシンク機器に送信する。スイッチ１３３は、変換部１３１から供給された部分信号を、ＣＥＣライン８４を介してシンク機器に送信する。これにより、Ｔｘデータに対応する差動信号がソース機器からシンク機器に送信される。
【０２４６】
また、データの受信時において、復号部１８３は、シンク機器から送信されてきたＲｘデータに対応する差動信号を受信する。すなわち、スイッチ１８１は、ＳＤＡライン１９１を介してシンク機器から送信されてきた、Ｒｘデータに対応する差動信号の部分信号を受信し、受信した部分信号を復号部１８３に供給する。また、スイッチ１８２は、ＳＣＬライン１９２を介してシンク機器から送信されてきた、Ｒｘデータに対応する差動信号の他方の部分信号を受信し、受信した部分信号を復号部１８３に供給する。復号部１８３は、スイッチ１８１およびスイッチ１８２から供給された部分信号からなる差動信号を、元のデータであるＲｘデータに復号し、制御部（ＣＰＵ）に出力する。
【０２４７】
これにより、ソース機器は、シンク機器と制御データや画素データ、音声データなど、各種のデータの授受を行う。
【０２４８】
また、ステップＳ７５において、全二重通信が可能でないと判定された場合、ステップＳ８０において、ソース機器は、ＣＥＣ信号の送受信を行うことでシンク機器との双方向の通信を行い、通信処理は終了する。
【０２４９】
すなわち、データの送信時において、ソース機器は、スイッチ１３３およびＣＥＣライン８４を介して、ＣＥＣ信号をシンク機器に送信し、データの受信時において、ソース機器は、スイッチ１３３およびＣＥＣライン８４を介してシンク機器から送信されてきたＣＥＣ信号を受信することで、シンク機器との制御データの授受を行う。
【０２５０】
このようにして、ソース機器は、全二重フラグを参照し、全二重通信が可能なシンク機器と、ＣＥＣライン８４およびリザーブライン８８、並びにＳＤＡライン１９１およびＳＣＬライン１９２を用いて全二重通信を行う。
【０２５１】
このように、スイッチ１３３、スイッチ１８１、およびスイッチ１８２を切り換えて送信するデータ、および受信するデータを選択し、シンク機器とＣＥＣライン８４およびリザーブライン８８、並びにＳＤＡライン１９１およびＳＣＬライン１９２を用いた全二重通信を行うことで、従来のＨＤＭＩとの互換性を保ちつつ、高速の双方向通信を行うことができる。
【０２５２】
また、シンク機器が図２１に示した構成とされる場合においても、シンク機器は、図２０に示したシンク機器における場合と同様に、通信処理を行って、ソース機器との双方向の通信を行う。
【０２５３】
以下、図２７のフローチャートを参照して、図２１に示したシンク機器による通信処理について説明する。
【０２５４】
ステップＳ１１１において、シンク機器は、シンク機器に新たな電子機器（ソース機器）が接続されたか否かを判定する。ステップＳ１１１において、新たな電子機器が接続されていないと判定された場合、通信は行われないので、通信処理は終了する。
【０２５５】
これに対して、ステップＳ１１１において、新たな電子機器が接続されたと判定された場合、ステップＳ１１２において、切り換え制御部１７２は、スイッチ１８５およびスイッチ１８６を制御し、データの送信時において、スイッチ１８５によりシンク機器の制御部（ＣＰＵ）からのＳＤＡ信号が選択され、さらにデータの受信時において、スイッチ１８５によりソース機器からのＳＤＡ信号が選択され、スイッチ１８６によりソース機器からのＳＣＬ信号が選択されるように、スイッチ１８５およびスイッチ１８６を切り換える。
【０２５６】
ステップＳ１１３において、切り換え制御部１２４はスイッチ１３５を制御し、データの送信時においてシンク機器の制御部（ＣＰＵ）からのＣＥＣ信号が選択され、データの受信時においてソース機器からのＣＥＣ信号が選択されるように、スイッチ１３５を切り換える。
【０２５７】
ステップＳ１１４において、シンク機器は、ＥＤＩＤＲＯＭ８５からＥ−ＥＤＩＤを読み出し、読み出したＥ−ＥＤＩＤを、スイッチ１８５およびＤＤＣ８３のＳＤＡライン１９１を介してソース機器に送信する。
【０２５８】
ステップＳ１１５において、シンク機器は、ソース機器から送信されてきたチャネル情報を受信したか否かを判定する。
【０２５９】
すなわち、ソース機器からは、ソース機器およびシンク機器が有する機能に応じて、双方向の通信のチャネルを示すチャネル情報が送信されてくる。例えば、ソース機器が図２１に示すように構成される場合、ソース機器とシンク機器とは全二重通信が可能であるので、ソース機器からシンク機器には、ＣＥＣライン８４およびリザーブライン８８と、ＳＤＡライン１９１およびＳＣＬライン１９２とを用いた全二重通信方式によるＩＰ通信を行う旨のチャネル情報が送信されてくるので、シンク機器は、スイッチ１３５およびＣＥＣライン８４を介してソース機器から送信されてきたチャネル情報を受信し、チャネル情報を受信したと判定する。
【０２６０】
これに対して、ソース機器が全二重通信を行う機能を有していない場合、ソース機器からシンク機器には、チャネル情報が送信されてこないので、シンク機器は、チャネル情報を受信していないと判定する。
【０２６１】
ステップＳ１１５において、チャネル情報を受信したと判定された場合、処理はステップＳ１１６に進み、切り換え制御部１７２は、スイッチ１８５およびスイッチ１８６を制御し、データの送信時において変換部１８４からのＲｘデータに対応する差動信号が選択されるように、スイッチ１８５およびスイッチ１８６を切り換える。
【０２６２】
ステップＳ１１７において、切り換え制御部１２４は、スイッチ１３５を制御し、データの受信時においてソース機器からのＴｘデータに対応する差動信号が選択されるように、スイッチ１３５を切り換える。
【０２６３】
ステップＳ１１８において、シンク機器は、全二重通信方式により、ソース機器との双方向のＩＰ通信を行い、通信処理は終了する。すなわち、データの送信時において、変換部１８４は、シンク機器の制御部（ＣＰＵ）から供給されたＲｘデータを差動信号に変換し、変換により得られた差動信号を構成する部分信号のうちの一方をスイッチ１８５に供給し、他方の部分信号をスイッチ１８６に供給する。スイッチ１８５およびスイッチ１８６は、変換部１８４から供給された部分信号を、ＳＤＡライン１９１およびＳＣＬライン１９２を介してソース機器に送信する。これにより、Ｒｘデータに対応する差動信号がシンク機器からソース機器に送信される。
【０２６４】
また、データの受信時において、復号部１３６は、ソース機器から送信されてきたＴｘデータに対応する差動信号を受信する。すなわち、スイッチ１３５は、ＣＥＣライン８４を介してソース機器から送信されてきた、Ｔｘデータに対応する差動信号の部分信号を受信し、受信した部分信号を復号部１３６に供給する。復号部１３６は、スイッチ１３５から供給された部分信号、およびリザーブライン８８を介してソース機器から供給された部分信号からなる差動信号を元のデータであるＴｘデータに復号し、制御部（ＣＰＵ）に出力する。
【０２６５】
これにより、シンク機器は、ソース機器と制御データや画素データ、音声データなど、各種のデータの授受を行う。
【０２６６】
また、ステップＳ１１５において、チャネル情報を受信していないと判定された場合、ステップＳ１１９において、シンク機器は、ＣＥＣ信号の送受信を行うことでソース機器との双方向の通信を行い、通信処理は終了する。
【０２６７】
このようにして、シンク機器は、チャネル情報を受信すると、シンク機器と、ＣＥＣライン８４およびリザーブライン８８、並びにＳＤＡライン１９１およびＳＣＬライン１９２を用いて全二重通信を行う。
【０２６８】
このように、シンク機器がスイッチ１３５、スイッチ１８５、およびスイッチ１８６を切り換えて送信するデータ、および受信するデータを選択し、ソース機器とＣＥＣライン８４およびリザーブライン８８、並びにＳＤＡライン１９１およびＳＣＬライン１９２を用いた全二重通信を行うことで、従来のＨＤＭＩとの互換性を保ちつつ、高速の双方向通信を行うことができる。
【０２６９】
なお、図２１の例では、ソース機器は、ＣＥＣライン８４およびリザーブライン８８に変換部１３１が接続され、ＳＤＡライン１９１およびＳＣＬライン１９２に復号部１８３が接続された構成とされているが、ＣＥＣライン８４およびリザーブライン８８に復号部１８３が接続され、ＳＤＡライン１９１およびＳＣＬライン１９２に変換部１３１が接続された構成とされてもよい。
【０２７０】
そのような場合、スイッチ１８１およびスイッチ１８２がＣＥＣライン８４およびリザーブライン８８に接続されるとともに復号部１８３に接続され、スイッチ１３３がＳＤＡライン１９１に接続されるとともに変換部１３１に接続される。
【０２７１】
また、図２１のシンク機器についても同様に、ＣＥＣライン８４およびリザーブライン８８に変換部１８４が接続され、ＳＤＡライン１９１およびＳＣＬライン１９２に復号部１３６が接続された構成とされてもよい。そのような場合、スイッチ１８５およびスイッチ１８６がＣＥＣライン８４およびリザーブライン８８に接続されるとともに変換部１８４に接続され、スイッチ１３５がＳＤＡライン１９１に接続されるとともに復号部１３６に接続される。
【０２７２】
さらに、図２０において、ＣＥＣライン８４およびリザーブライン８８が、ＳＤＡライン１９１およびＳＣＬライン１９２とされてもよい。つまり、ソース機器の変換部１３１および復号部１３２と、シンク機器の変換部１３４および復号部１３６とがＳＤＡライン１９１およびＳＣＬライン１９２に接続され、ソース機器とシンク機器とが半二重通信方式によるＩＰ通信を行うようにしてもよい。さらに、この場合、リザーブライン８８を用いて電子機器の接続を検出するようにしてもよい。
【０２７３】
さらに、ソース機器およびシンク機器のそれぞれが、半二重通信を行う機能、および全二重通信を行う機能の両方を有するようにしてもよい。そのような場合、ソース機器およびシンク機器は、接続された電子機器の有する機能に応じて、半二重通信方式または全二重通信方式によるＩＰ通信を行うことができる。
【０２７４】
ソース機器およびシンク機器のそれぞれが、半二重通信を行う機能、および全二重通信を行う機能の両方を有する場合、ソース機器およびシンク機器は、例えば、図２８に示すように構成される。なお、図２８において、図２０または図２１における場合と対応する部分には、同一の符号を付してあり、その説明は適宜省略する。
【０２７５】
図２８に示すソース機器の高速データラインインタフェース２１３は、変換部１３１、復号部１３２、スイッチ１３３、スイッチ１８１、スイッチ１８２、復号部１８３、切り換え制御部１２１、タイミング制御部１２２、および切り換え制御部１７１を有している。すなわち、図２８のソース機器における高速データラインインタフェース２１３は、図２１に示したソース機器における高速データラインインタフェース２１３に、図２０のタイミング制御部１２２および復号部１３２がさらに設けられた構成とされている。
【０２７６】
また、図２８に示すシンク機器の高速データラインインタフェース２１３は、変換部１３４、スイッチ１３５、復号部１３６、変換部１８４、スイッチ１８５、スイッチ１８６、タイミング制御部１２３、切り換え制御部１２４、および切り換え制御部１７２を有している。すなわち、図２８のシンク機器は、図２１に示したシンク機器に、図２０のタイミング制御部１２３および変換部１３４がさらに設けられた構成とされている。
【０２７７】
次に、図２８のソース機器およびシンク機器による通信処理について説明する。
【０２７８】
まず、図２９のフローチャートを参照して、図２８のソース機器による通信処理について説明する。なお、ステップＳ１５１乃至ステップＳ１５４の処理のそれぞれは、図２６のステップＳ７１乃至ステップＳ７４の処理のそれぞれと同様であるので、その説明は省略する。
【０２７９】
ステップＳ１５５において、ソース機器は、シンク機器との全二重通信が可能であるか否かを判定する。すなわち、ソース機器は、シンク機器から受信したＥ−ＥＤＩＤを参照して、図２３の全二重フラグ“Ｆｕｌｌ  Ｄｕｐｌｅｘ”がセットされているか否かを判定する。
【０２８０】
ステップＳ１５５において、全二重通信が可能であると判定された場合、すなわち図２８、または図２１に示したシンク機器がソース機器に接続されている場合、ステップＳ１５６において、切り換え制御部１７１は、スイッチ１８１およびスイッチ１８２を制御し、データの受信時において、シンク機器からのＲｘデータに対応する差動信号が選択されるようにスイッチ１８１およびスイッチ１８２を切り換える。
【０２８１】
一方、ステップＳ１５５において、全二重通信が可能でないと判定された場合、ステップＳ１５７において、ソース機器は、半二重通信が可能であるか否かを判定する。すなわち、ソース機器は、受信したＥ−ＥＤＩＤを参照して、図２３の半二重フラグ“Ｈａｌｆ  Ｄｕｐｌｅｘ”がセットされているか否かを判定する。換言すれば、ソース機器は、図２０に示したシンク機器がソース機器に接続されたか否かを判定する。
【０２８２】
ステップＳ１５７において、半二重通信が可能であると判定された場合、またはステップＳ１５６において、スイッチ１８１およびスイッチ１８２が切り換えられた場合、ステップＳ１５８において、ソース機器は、チャネル情報を、スイッチ１３３およびＣＥＣライン８４を介してシンク機器に送信する。
【０２８３】
ここで、ステップＳ１５５において全二重通信が可能であると判定された場合には、シンク機器は、全二重通信を行う機能を有しているので、ソース機器は、チャネル情報として、ＣＥＣライン８４およびリザーブライン８８と、ＳＤＡライン１９１およびＳＣＬライン１９２とを用いたＩＰ通信を行う旨の信号を、スイッチ１３３およびＣＥＣライン８４を介してシンク機器に送信する。
【０２８４】
また、ステップＳ１５７において半二重通信が可能であると判定された場合には、シンク機器は、全二重通信を行う機能は有していないが、半二重通信を行う機能を有しているので、ソース機器は、チャネル情報として、ＣＥＣライン８４およびリザーブライン８８を用いたＩＰ通信を行う旨の信号を、スイッチ１３３およびＣＥＣライン８４を介してシンク機器に送信する。
【０２８５】
ステップＳ１５９において、切り換え制御部１２１は、スイッチ１３３を制御し、データの送信時において変換部１３１からのＴｘデータに対応する差動信号が選択され、データの受信時においてシンク機器から送信されてくるＲｘデータに対応する差動信号が選択されるように、スイッチ１３３を切り換える。なお、ソース機器とシンク機器とが全二重通信を行う場合には、ソース機器におけるデータの受信時には、シンク機器から、ＣＥＣライン８４およびリザーブライン８８を介してＲｘデータに対応する差動信号は送信されてこないので、復号部１３２には、Ｒｘデータに対応する差動信号は供給されない。
【０２８６】
ステップＳ１６０において、ソース機器は、シンク機器との双方向のＩＰ通信を行い、通信処理は終了する。すなわち、ソース機器がシンク機器と全二重通信を行う場合、および半二重通信を行う場合、データの送信時において、変換部１３１は、ソース機器の制御部（ＣＰＵ）から供給されたＴｘデータを差動信号に変換し、変換により得られた差動信号を構成する部分信号のうちの一方をスイッチ１３３およびＣＥＣライン８４を介してシンク機器に送信し、他方の部分信号をリザーブライン８８を介してシンク機器に送信する。
【０２８７】
また、ソース機器がシンク機器と全二重通信を行う場合、データの受信時において、復号部１８３は、シンク機器から送信されてきたＲｘデータに対応する差動信号を受信し、受信した差動信号を、元のデータであるＲｘデータに復号して、制御部（ＣＰＵ）に出力する。
【０２８８】
これに対して、ソース機器がシンク機器と半二重通信を行う場合、データの受信時において、復号部１３２は、タイミング制御部１２２の制御に基づいて、シンク機器から送信されてきたＲｘデータに対応する差動信号を受信し、受信した差動信号を、元のデータであるＲｘデータに復号して、制御部（ＣＰＵ）に出力する。
【０２８９】
これにより、ソース機器は、シンク機器と制御データや画素データ、音声データなど、各種のデータの授受を行う。
【０２９０】
また、ステップＳ１５７において、半二重通信が可能でないと判定された場合、ステップＳ１６１において、ソース機器は、ＣＥＣライン８４を介してＣＥＣ信号の送受信を行うことでシンク機器との双方向の通信を行い、通信処理は終了する。
【０２９１】
このようにして、ソース機器は、全二重フラグおよび半二重フラグを参照し、通信相手であるシンク機器の有する機能に応じて、全二重通信または半二重通信を行う。
【０２９２】
このように、通信相手であるシンク機器の有する機能に応じて、スイッチ１３３、スイッチ１８１、およびスイッチ１８２を切り換えて送信するデータ、および受信するデータを選択し、全二重通信または半二重通信を行うことで、従来のＨＤＭＩとの互換性を保ちつつ、より最適な通信方法を選択して、高速の双方向通信を行うことができる。
【０２９３】
次に、図３０のフローチャートを参照して、図２８のシンク機器による通信処理について説明する。なお、ステップＳ１９１乃至ステップＳ１９４の処理のそれぞれは、図２７のステップＳ１１１乃至ステップＳ１１４の処理のそれぞれと同様であるので、その説明は省略する。
【０２９４】
ステップＳ１９５において、シンク機器は、スイッチ１３５およびＣＥＣライン８４を介してソース機器から送信されてきたチャネル情報を受信する。なお、シンク機器に接続されているソース機器が、全二重通信を行う機能も、半二重通信を行う機能も有していない場合には、ソース機器からシンク機器には、チャネル情報は送信されてこないので、シンク機器は、チャネル情報を受信しない。
【０２９５】
ステップＳ１９６において、シンク機器は、受信したチャネル情報に基づいて、全二重通信を行うか否かを判定する。たとえば、シンク機器は、ＣＥＣライン８４およびリザーブライン８８と、ＳＤＡライン１９１およびＳＣＬライン１９２とを用いたＩＰ通信を行う旨のチャネル情報を受信した場合、全二重通信を行うと判定する。
【０２９６】
ステップＳ１９６において、全二重通信を行うと判定された場合、ステップＳ１９７において、切り換え制御部１７２は、スイッチ１８５およびスイッチ１８６を制御し、データの送信時において変換部１８４からのＲｘデータに対応する差動信号が選択されるように、スイッチ１８５およびスイッチ１８６を切り換える。
【０２９７】
また、ステップＳ１９６において、全二重通信を行わないと判定された場合、ステップＳ１９８において、シンク機器は、受信したチャネル情報に基づいて、半二重通信を行うか否かを判定する。たとえば、シンク機器は、ＣＥＣライン８４およびリザーブライン８８を用いたＩＰ通信を行う旨のチャネル情報を受信した場合、半二重通信を行うと判定する。
【０２９８】
ステップＳ１９８において、半二重通信を行うと判定されるか、またはステップＳ１９７においてスイッチ１８５およびスイッチ１８６が切り換えられた場合、ステップＳ１９９において、切り換え制御部１２４は、スイッチ１３５を制御し、データの送信時において、変換部１３４からのＲｘデータに対応する差動信号が選択され、データの受信時においてソース機器からのＴｘデータに対応する差動信号が選択されるように、スイッチ１３５を切り換える。
【０２９９】
なお、ソース機器とシンク機器とが全二重通信を行う場合、シンク機器におけるデータの送信時には、変換部１３４からトランスミッタ８１にＲｘデータに対応する差動信号が送信されないので、スイッチ１３５には、Ｒｘデータに対応する差動信号は供給されない。
【０３００】
ステップＳ２００において、シンク機器は、ソース機器との双方向のＩＰ通信を行い、通信処理は終了する。
【０３０１】
すなわち、シンク機器がソース機器と全二重通信を行う場合、データの送信時において、変換部１８４は、シンク機器の制御部（ＣＰＵ）から供給されたＲｘデータを差動信号に変換し、変換により得られた差動信号を構成する部分信号のうちの一方を、スイッチ１８５およびＳＤＡライン１９１を介してソース機器に送信し、他方の部分信号をスイッチ１８６およびＳＣＬライン１９２を介してソース機器に送信する。
【０３０２】
また、シンク機器がソース機器と半二重通信を行う場合、データの送信時において、変換部１３４は、シンク機器の制御部（ＣＰＵ）から供給されたＲｘデータを差動信号に変換し、変換により得られた差動信号を構成する部分信号のうちの一方を、スイッチ１３５およびＣＥＣライン８４を介してトランスミッタ８１に送信し、他方の部分信号をリザーブライン８８を介してソース機器に送信する。
【０３０３】
さらに、シンク機器がソース機器と全二重通信を行う場合、および半二重通信を行う場合、データの受信時において、復号部１３６は、ソース機器から送信されてきたＴｘデータに対応する差動信号を受信し、受信した差動信号を元のデータであるＴｘデータに復号して、制御部（ＣＰＵ）に出力する。
【０３０４】
また、ステップＳ１９８において、半二重通信を行わないと判定された場合、すなわち、たとえばチャネル情報が送信されてこなかった場合、ステップＳ２０１において、シンク機器は、ＣＥＣ信号の送受信を行うことでソース機器との双方向の通信を行い、通信処理は終了する。
【０３０５】
このようにして、シンク機器は、受信したチャネル情報に応じて、すなわち通信相手であるソース機器の有する機能に応じて全二重通信または半二重通信を行う。
【０３０６】
このように、通信相手であるソース機器の有する機能に応じて、スイッチ１３５、スイッチ１８５、およびスイッチ１８６を切り換えて送信するデータ、および受信するデータを選択し、全二重通信または半二重通信を行うことで、従来のＨＤＭＩ（Ｒ）との互換性を保ちつつ、より最適な通信方法を選択して、高速の双方向通信を行うことができる。
【０３０７】
また、互いに差動ツイストペア結線されてシールドされ、グランド線に接地されたＣＥＣライン８４およびリザーブライン８８と、互いに差動ツイストペア結線されてシールドされ、グランド線に接地されたＳＤＡライン１９１およびＳＣＬライン１９２とが含まれているＨＤＭＩケーブル３５１により、ソース機器とシンク機器とを接続することで、従来のＨＤＭＩケーブルとの互換性を保ちつつ、半二重通信方式または全二重通信方式による高速の双方向のＩＰ通信を行うことができる。
【０３０８】
次に、上述した一連の処理は、専用のハードウェアにより行うこともできるし、ソフトウェアにより行うこともできる。一連の処理をソフトウェアによって行う場合には、そのソフトウェアを構成するプログラムが、たとえば、ソース機器、シンク機器を制御するマイクロコンピュータ等にインストールされる。
【０３０９】
そこで、図３１は、上述した一連の処理を実行するプログラムがインストールされるコンピュータの一実施の形態の構成例を示している。
【０３１０】
プログラムは、コンピュータに内蔵されている記録媒体としてのＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−ｏｎｌｙ  Ｍｅｍｏｒｙ）３０５やＲＯＭ３０３に予め記録しておくことができる。
【０３１１】
あるいはまた、プログラムは、フレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  Ｏｐｔｉｃａｌ）ディスク，ＤＶＤ（Ｄｉｇｉｔａｌ  Ｖｅｒｓａｔｉｌｅ  Ｄｉｓｃ）、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０３１２】
なお、プログラムは、上述したようなリムーバブル記録媒体からコンピュータにインストールする他、ダウンロードサイトから、デジタル衛星放送用の人工衛星を介して、コンピュータに無線で転送し、あるいはＬＡＮ、インターネットといったネットワークを介して、コンピュータに有線で転送し、コンピュータでは、そのようにして転送されてくるプログラムを、入出力インタフェース３０６で受信し、内蔵するＥＥＰＲＯＭ３０５にインストールすることができる。
【０３１３】
コンピュータは、ＣＰＵ（Ｃｅｎｔｒａｌ  Ｐｒｏｃｅｓｓｉｎｇ  Ｕｎｉｔ）３０２を内蔵している。ＣＰＵ３０２には、バス３０１を介して、入出力インタフェース３０６が接続されており、ＣＰＵ３０２は、ＲＯＭ（Ｒｅａｄ  Ｏｎｌｙ  Ｍｅｍｏｒｙ）３０３やＥＥＰＲＯＭ３０５に格納されているプログラムを、ＲＡＭ（Ｒａｎｄｏｍ  Ａｃｃｅｓｓ  Ｍｅｍｏｒｙ）３０４にロードして実行する。これにより、ＣＰＵ３０２は、上述したフローチャートにしたがった処理、あるいは上述したブロック図の構成により行われる処理を行う。
【０３１４】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（たとえば、並列処理あるいはオブジェクトによる処理）も含むものである。また、プログラムは、１のコンピュータにより処理されるものであっても良いし、複数のコンピュータによって分散処理されるものであっても良い。
【０３１５】
上述した図８に示す構成例は、ＤＤＣに関して規定された電気的仕様と無関係にＬＡＮ通信のための回路を形成できるものであったが、図３２は、同様の効果を持つ他の構成例を示している。
【０３１６】
この例は、１本のケーブルで映像と音声のデータ伝送と接続機器情報の交換および認証と機器制御データの通信とＬＡＮ通信を行うインタフェースにおいて、ＬＡＮ通信が２対の差動伝送路を介する単方向通信で行われ、伝送路のうちの少なくともひとつのＤＣバイアス電位によってインタフェースの接続状態が通知される構成を有し、さらに、少なくとも二つの伝送路がＬＡＮ通信とは時分割で接続機器情報の交換と認証の通信に使われることを特徴とする。
【０３１７】
ソース機器は、ＬＡＮ信号送信回路６１１、終端抵抗６１２，６１３、ＡＣ結合容量６１４〜６１７、ＬＡＮ信号受信回路６１８、インバータ６２０、抵抗６２１、ローパルスフィルタを形成する抵抗６２２および容量６２３、比較器６２４、プルダウン抵抗６３１、ローパスフィルタを形成する抵抗６３２および容量６３３、比較器６３４、ＮＯＲゲート６４０、アナログスイッチ６４１〜６４４、インバータ６４５、アナログスイッチ６４６，７４７、ＤＤＣトランシーバ６５１，６５２、並びにプルアップ抵抗６５３，６５４を有している。
【０３１８】
また、シンク機器６０２は、ＬＡＮ信号送信回路６６１、終端抵抗６６２，６６３、ＡＣ結合容量６６４〜６６７、ＬＡＮ信号受信回路６６８、プルダウン抵抗６７１、ローパルスフィルタを形成する抵抗６７２および容量６７３、比較器６７４、チョークコイル６８１、電源電位と基準電位間に直列接続された抵抗６８２および６８３、アナログスイッチ６９１〜６９４、インバータ６９５、アナログスイッチ６９６，６９７、ＤＤＣトランシーバ７０１，７０２、並びにプルアップ抵抗７０３，７０４を有している。
【０３１９】
ＨＤＭＩケーブル３５１の中には、リザーブライン８０１とＳＣＬライン８０３からなる差動伝送路とＳＤＡライン８０４とＨＰＤライン８０２からなる差動伝送路があり、それらのソース側端子８１１と〜８１４、並びにシンク側端子８２１〜８２４が形成されている。
【０３２０】
リザーブライン８０１とＳＣＬライン８０３、並びにＳＤＡライン８０４とＨＰＤライン８０２は、差動ツイストペアとして結線されている。
【０３２１】
ソース機器内で、端子８１１、８１３は、ＡＣ結合容量６１４、６０５およびアナログスイッチ６４１、６４２を介してＬＡＮ送信信号ＳＧ６１１をシンクに送信する送信回路６１１および終端抵抗６１２に接続されている。端子８１４，８１２は、ＡＣ結合容量６１６，６１７とアナログスイッチ６４３、６４４を介してシンク機器からのＬＡＮ信号を受信する受信回路６１８および終端抵抗６１３に接続されている。
【０３２２】
シンク機器内で、端子８２１〜８２４はＡＣ結合容量６６４，６６５，６６６，６６７とアナログスイッチ６９１〜６９４を介して送信回路６６１および受信回路６６８と、終端抵抗６６２，６６３に接続されている。アナログスイッチ６４１〜６４４、６９１〜６９４はＬＡＮ通信を行うときに導通し、ＤＤＣ通信を行うときは開放となる。
【０３２３】
ソース機器は、端子８１３と端子８１４を、別のアナログスイッチ６４６、６４７を介してＤＤＣトランシーバ６５１、６５２およびプルアップ抵抗６５３、６５４に接続する。
【０３２４】
シンク機器は、端子８２３と端子８２４を、アナログスイッチ６９６、６９７を介してＤＤＣトランシーバ７０１、７０２およびプルアップ抵抗７０３に接続する。アナログスイッチ６４６、６４７はＤＤＣ通信を行うときに導通し、ＬＡＮ通信を行うときは開放にする。
【０３２５】
リザーブライン８０１の電位によるｅ−ＨＤＭＩ対応機器の認識機構は、ソース機器６０１の抵抗６２がインバータ６２０に駆動されていること以外は、基本的に、図８に示す例と同様である。
【０３２６】
インバータ６２０の入力がＨＩＧＨのとき抵抗６２１はプルダウン抵抗となるのでシンク機器からみるとｅ−ＨＤＭＩ非対応機器がつながれたのと同じ０Ｖ状態になる。この結果、シンク機器のｅ−ＨＤＭＩ対応識別結果を示す信号ＳＧ６２３はＬＯＷとなり、信号ＳＧ６２３で制御されるアナログスイッチ６９１〜６９４は開放され、信号ＳＧ６２３をインバータ６９５で反転した信号で制御されるアナログスイッチ６９６、６９７は導通する。この結果、シンク機器６０２はＳＣＬライン８０３とＳＤＡライン８０４をＬＡＮ送受信機から切り離し、ＤＤＣ送受信機に接続した状態になる。
【０３２７】
一方、ソース機器ではインバータ６２０の入力がＮＯＲゲート６４０にも入力されてその出力ＳＧ６１４はＬＯＷとされる。ＮＯＲゲート６４０の出力信号ＳＧ６１４に制御されたアナログスイッチ６４１〜６４４は開放され、信号ＳＧ６１４をインバータ６４５で反転した信号で制御されるアナログスイッチ６４６、６４７は導通する。この結果、ソース機器６０１もＳＣＬライン８０３とＳＤＡライン８０４をＬＡＮ送受信機から切り離し、ＤＤＣ送受信機に接続した状態になる。
【０３２８】
逆に、インバータ６２０の入力がＬＯＷのときは、ソース機器もシンク機器もともにＳＣＬライン８０３とＳＤＡライン８０４をＤＤＣ送受信機から切り離し、ＬＡＮ送受信機に接続した状態になる。
【０３２９】
ＨＰＤライン８０２のＤＣバイアス電位による接続確認のための回路６３１〜６３４、６８１〜６８３は、図８に示す例と同様の機能を有する。すなわち、ＨＰＤライン８０２は、上述のＬＡＮ通信の他にＤＣバイアスレベルでケーブル３５１がシンク機器に接続されたことをソース機器に伝達する。シンク機器内の抵抗６８２、６８３とチョークコイル６８１はケーブル３５１がシンク機器に接続されるとＨＰＤライン８０２を、端子８２２を介して約４Ｖにバイアスする。
【０３３０】
ソース機器はＨＰＤライン８０２のＤＣバイアスを抵抗６３２と容量６３３からなるローパスフィルタで抽出し、比較器６３４で基準電位Ｖｒｅｆ２（たとえば１．４Ｖ）と比較する。ケーブル３５１がシンク機器に接続されていなければ端子８１２の電位はプルダウン抵抗６３１で基準電位Ｖｒｅｆ２より低く、接続されていれば高い。したがって、比較器６３４の出力信号ＳＧ６１３がＨＩＧＨならばケーブル３５１とシンク機器が接続されていることを示す。一方、比較器６３４の出力信号ＳＧ６１３がＬＯＷならばケーブル３５１とシンク機器が接続されていないことを示す。
【０３３１】
このように、図３２に示す構成例によれば、１本のケーブルで映像と音声のデータ伝送と接続機器情報の交換および認証と機器制御データの通信とＬＡＮ通信を行うインタフェースにおいて、ＬＡＮ通信が２対の差動伝送路を介する単方向通信でおこなわれ、伝送路のうちの少なくともひとつのＤＣバイアス電位によってインタフェースの接続状態が通知される構成を有し、さらに、少なくとも二つの伝送路がＬＡＮ通信とは時分割で接続機器情報の交換と認証の通信に使われることから、ＳＣＬライン、ＳＤＡラインをスイッチでＬＡＮ通信回路に接続する時間帯とＤＤＣ回路に接続する時間帯に分ける時分割を行うことができ、この分割によりＤＤＣに関して規定された電気的仕様と無関係にＬＡＮ通信のための回路を形成することができ、安定で確実なＬＡＮ通信が安価に実現できる。
【０３３２】
なお、ＳＤＡとＳＣＬはＨが１．５ＫΩプルアップでＬがローインピーダンスのプルダウンであり、ＣＥＣもＨが２７ＫΩプルアップでＬがローインピーダンスのプルダウンの通信を行なうものである。既存ＨＤＭＩとのコンパチビリティを持つためにそれらの機能を保持することは、伝送線路の終端を整合終端する必要がある高速データ通信を行なうＬＡＮの機能を共有することは困難となるおそれがある。
【０３３３】
図８、図３２の構成例は、このような問題を回避できる。すなわち、図８の構成例では、ＳＤＡ、ＳＣＬ、ＣＥＣラインを使うのを避けてリザーブラインとＨＰＤラインを差動のペアとして１対双方向通信による全二重通信を行うように構成した。また、図３２の構成例では、ＨＰＤラインおよびＳＤＡラインと、ＳＣＬラインおよびリザーブラインとで２対の差動ペアをつくり各々で単方向通信を行なう２対全二重通信を行うように構成した。
【０３３４】
図３３（Ａ）〜（Ｅ）は、図８、あるいは図３２の構成例における双方向通信波形を示している。
【０３３５】
図３３（Ａ）はソース機器から送った信号波形を、図３３（Ｂ）はシンク機器が受けた信号波形を、図３３（Ｃ）はケーブルを通る信号波形を、図３３（Ｄ）はソース機器が受けた信号を、図３３（Ｅ）はソース機器から送った信号波形を、それぞれ示している。この図３３からも明らかなように、図８、あるいは図３２の構成例によれば、良好な双方向通信を実現可能である。
【０３３６】
なお、上述実施の形態においては、各機器を接続する伝送路として、ＨＤＭＩ規格のインタフェースを前提として説明したが、その他の同様な伝送規格にも適用可能である。また、ソース機器としてゲーム機を使用し、シンク機器としてテレビ受信機を使用した例としたが、その他の送信装置、受信装置を使用するものにも、この発明を同様に適用できる。
【０３３７】
また、上述実施の形態においては、電子機器間をＨＤＭＩケーブルで接続したものを示したが、この発明は、電子機器間の接続を無線で行うものにも、同様に適用できる。
【産業上の利用可能性】
【０３３８】
この発明は、粒状ノイズ付加、高解像度化等の付加価値表示を良好に行い得るものであり、例えば、ゲーム機器とテレビ受信機とがＨＤＭＩ規格のインタフェースで接続されてなるＡＶシステム等に適用できる。
【図面の簡単な説明】
【０３３９】
【図１】この発明の実施の形態としてのＡＶシステムの構成例を示すブロック図である。
【図２】ＡＶシステムを構成するゲーム機（ソース機器）の構成例を示すブロック図である。
【図３】ＡＶシステムを構成するテレビ受信機（シンク機器）の構成例を示すブロック図である。
【図４】ＨＤＭＩ送信部（ＨＤＭＩソース）とＨＤＭＩ受信部（ＨＤＭＩシンク）の構成例を示すブロック図である。
【図５】ＨＤＭＩトランスミッタとＨＤＭＩレシーバの構成例を示すブロック図である。
【図６】ＴＭＤＳ伝送データの構造を示す図である。
【図７】ＨＤＭＩ端子のピン配列（タイプＡ）を示す図である。
【図８】ゲーム機およびテレビ受信機の高速データラインインタフェースの構成例を示す接続図である。
【図９】ゲーム機からテレビ受信機に、付加価値画像データとして、粒状ノイズデータを送信する場合を示す図である。
【図１０】ゲーム機からテレビ受信機に、付加価値画像データとして、高解像度差分データを送信する場合を示す図である。
【図１１】ゲーム機のテレビ受信機からの同期情報の取得を説明するための図である。
【図１２】同期情報を説明するための図である。
【図１３】ゲーム機からテレビ受信機に、付加価値画像データとして、輝度差分データを送信する場合を示す図である。
【図１４】ゲーム機からテレビ受信機に、付加価値画像データとして、ハイフレームレート化のための補間画像データを送信する場合を示す図である。
【図１５】ゲーム機からテレビ受信機に、付加価値画像データとして、ステレオ表示のために、左眼用または右眼用の画像データを送信する場合を示す図である。
【図１６】ゲーム機からテレビ受信機に、付加価値画像データとして、インタフェース画面用の画像データを送信する場合を示す図である。
【図１７】ゲーム機からテレビ受信機に、付加価値画像データとして、インタフェース画面用の画像データを送信する場合を示す図である。
【図１８】本編の画像データをＨＤＭＩのＴＭＤＳチャネルを用いて送信し、付加価値画像データを高速データラインを用いて送信する場合の例を示す図である。
【図１９】本編の画像データをＨＤＭＩのＴＭＤＳチャネルを用いて送信し、付加価値画像データを高速データラインを用いて送信する場合の例を示す図である。
【図２０】ゲーム機およびテレビ受信機の高速データラインインタフェースの他の構成例を示す接続図である。
【図２１】ゲーム機およびテレビ受信機の高速データラインインタフェースのさらに他の構成例を示す接続図である。
【図２２】ソース機器が受信するＥ−ＥＤＩＤの構造を示す図である。
【図２３】Ｅ−ＥＤＩＤ  Vendor Specific Data Block構造を示す図である。
【図２４】ソース機器による通信処理を説明するためのフローチャートである。
【図２５】シンク機器による通信処理を説明するためのフローチャートである。
【図２６】ソース機器による通信処理を説明するためのフローチャートである。
【図２７】シンク機器による通信処理を説明するためのフローチャートである。
【図２８】ゲーム機およびテレビ受信機の高速データラインインタフェースの他の構成例を示す接続図である。
【図２９】ソース機器による通信処理を説明するためのフローチャートである。
【図３０】シンク機器による通信処理を説明するためのフローチャートである。
【図３１】この発明を適用したコンピュータの構成例を示すブロック図である。
【図３２】ゲーム機およびテレビ受信機の高速データラインインタフェースのさらに他の構成例を示す接続図である。
【図３３】双方向通信波形を示す図である。
【符号の説明】
【０３４０】
２００・・・ＡＶシステム、２１０・・・ゲーム機、２１１・・・ＨＤＭＩ端子、２１２・・・ＨＤＭＩ送信部、２１３・・・高速データラインインタフェース、２５０・・・テレビ受信機、２５１・・・ＨＤＭＩ端子、２５２・・・ＨＤＭＩ受信部、２５３・・・高速データラインインタフェース、２６８・・・合成部、３５１・・・ＨＤＭＩケーブル
【図１】
0005242111.tif 000002
【図２】
0005242111.tif 000003
【図３】
0005242111.tif 000004
【図４】
0005242111.tif 000005
【図５】
0005242111.tif 000006
【図６】
0005242111.tif 000007
【図７】
0005242111.tif 000008
【図８】
0005242111.tif 000009
【図１１】
0005242111.tif 000010
【図１２】
0005242111.tif 000011
【図２０】
0005242111.tif 000012
【図２１】
0005242111.tif 000013
【図２２】
0005242111.tif 000014
【図２３】
0005242111.tif 000015
【図２４】
0005242111.tif 000016
【図２５】
0005242111.tif 000017
【図２６】
0005242111.tif 000018
【図２７】
0005242111.tif 000019
【図２８】
0005242111.tif 000020
【図２９】
0005242111.tif 000021
【図３０】
0005242111.tif 000022
【図３１】
0005242111.tif 000023
【図３２】
0005242111.tif 000024
【図３３】
0005242111.tif 000025
【図９】
0005242111.tif 000026
【図１０】
0005242111.tif 000027
【図１３】
0005242111.tif 000028
【図１４】
0005242111.tif 000029
【図１５】
0005242111.tif 000030
【図１６】
0005242111.tif 000031
【図１７】
0005242111.tif 000032
【図１８】
0005242111.tif 000033
【図１９】
0005242111.tif 000034